(57)【要約】【課題】データ量を極力削減した無駄のない動画像データを用いて、フェードイン表示等の動画像データを用いた多様な遊技演出を実行する。【解決手段】切替表示手段８０ｅが、段階的に画像を出現させるフェードイン処理を行うことで画像表示装置上の表示画像の切替表示を実行させるフェードイン切替表示手段８０ｅａと、選択操作手段８０ａによる選択操作の入力にもとづいて画像表示装置６ａに表示されている画像の表示態様の切替表示を実行させる操作対応切替表示手段８０ｅｂとを有し、フェードイン切替表示手段８０ｅａが、複数のフェードイン画像（画像（ｄ）〜画像（ｂ））を生成するフェードイン画像生成手段８０ｅａａと、透過度が最も高められている画像（画像（ａ））から透過度がより低い画像（画像（ｂ）〜画像（ｄ））に順次移行させるフェードイン処理を実行するフェードイン処理手段８０ｅａｂとを含む構成とする。【選択図】　図１
2004089487.tif 000002
【特許請求の範囲】
【請求項１】
複数種類の識別情報の可変表示を行い、前記識別情報の表示結果が特定表示結果となったときに遊技者にとって有利な特定遊技状態とする遊技機であって、
遊技演出に用いられる画像を表示する画像表示装置と、
遊技者の選択操作を入力するための選択操作手段と、
動き補償予測符号化による圧縮データを含む動画像データを格納する圧縮データ格納手段と、
前記圧縮データ格納手段に格納されている動画像データを伸張するデータ伸張手段と、
前記データ伸張手段により伸張された動画像データに基づいて生成される画像を前記画像表示装置に順次表示させることによって動画再生を行うデータ再生手段と、
前記画像表示装置に表示されている画像の切替表示を実行させる切替表示手段とを備え、
前記切替表示手段は、段階的に画像を出現させるフェードイン処理を行うことで前記画像表示装置上の表示画像の切替表示を実行させるフェードイン切替表示手段と、前記選択操作手段による選択操作の入力にもとづいて前記画像表示装置に表示されている画像の表示態様の切替表示を実行させる操作対応切替表示手段とを有し、
前記フェードイン切替表示手段は、
再生開始時に使用されるフレームデータから透過度を段階的に高めていった複数のフェードイン画像を生成するフェードイン画像生成手段と、
前記フェードイン画像生成手段により生成された各フェードイン画像を、透過度が最も高められているフェードイン画像から、透過度がより低いフェードイン画像に順次移行させ、最終的に前記フレームデータの画像を表示させることによって前記フェードイン処理を実行するフェードイン処理手段と、
前記フェードイン処理手段によるフェードイン処理が完了したあと、前記データ再生手段によりフェードイン処理の完了時に表示されている前記フレームデータの画像から動画再生を開始させる動画再生開始手段とを含む
ことを特徴とする遊技機。
【請求項２】
フェードイン切替表示手段は、フェードイン処理にて、所定の中間画像を介して段階的に画像を出現させる
ことを特徴とする請求項１記載の遊技機。
【請求項３】
複数種類の識別情報の可変表示を行い、前記識別情報の表示結果が特定表示結果となったときに遊技者にとって有利な特定遊技状態とする遊技機であって、
遊技演出に用いられる画像を表示する画像表示装置と、
遊技者の選択操作を入力するための選択操作手段と、
動き補償予測符号化による圧縮データを含む動画像データを格納する圧縮データ格納手段と、
前記圧縮データ格納手段に格納されている動画像データを伸張するデータ伸張手段と、
前記データ伸張手段により伸張された動画像データに基づいて生成される画像を前記画像表示装置に順次表示させることによって動画再生を行うデータ再生手段と、
前記画像表示装置に表示されている画像の切替表示を実行させる切替表示手段とを備え、
前記切替表示手段は、段階的に画像を消滅させるフェードアウト処理を行うことで前記画像表示装置上の表示画像の切替表示を実行させるフェードアウト切替表示手段と、前記選択操作手段による選択操作の入力にもとづいて前記画像表示装置に表示されている画像の表示態様の切替表示を実行させる操作対応切替表示手段とを有し、
前記フェードアウト切替表示手段は、
遊技演出を実行するための動画像データを用いた動画再生を終了するときに、再生終了時に使用されるフレームデータの画像を表示する動画再生終了手段と、前記フレームデータから透過度を段階的に高めていった複数のフェードアウト画像を生成するフェードアウト画像生成手段と、
前記フェードアウト画像生成手段により生成された各フェードアウト画像を、前記フレームデータの画像から、透過度がより高められているフェードアウト画像に順次移行させ、最終的に透過度が最も高められているフェードアウト画像を表示させることによって前記フェードアウト処理を実行するフェードアウト処理手段とを含む
ことを特徴とする遊技機。
【請求項４】
フェードアウト切替表示手段は、フェードアウト処理にて、段階的に画像を消滅させて所定の中間画像を表示させる
ことを特徴とする請求項３記載の遊技機。
【請求項５】
複数種類の識別情報の可変表示を行い、前記識別情報の表示結果が特定表示結果となったときに遊技者にとって有利な特定遊技状態とする遊技機であって、
遊技演出に用いられる画像を表示する画像表示装置と、
遊技者の選択操作を入力するための選択操作手段と、
動き補償予測符号化による圧縮データを含む動画像データを格納する圧縮データ格納手段と、
前記圧縮データ格納手段に格納されている動画像データを伸張するデータ伸張手段と、
前記データ伸張手段により伸張された動画像データに基づいて生成される画像を前記画像表示装置に順次表示させることによって動画再生処理を行うデータ再生手段と、
前記選択操作手段による選択操作の入力にもとづいて前記画像表示装置に表示されている画像の表示態様の切替表示を実行させる操作対応切替表示手段とを備え、
前記データ再生手段は、
所定の静止対象画像表示タイミングとなったことに応じて前記動画像データに基づく動作対象画像の動画再生処理を中断する動画再生処理中断手段と、
前記静止対象画像表示タイミングにて動画再生処理が中断されたときに、動画像データに含まれる静止対象画像データに基づいて、前記画像表示装置上の動作対象画像を所定の静止対象画像に切り替え表示する静止対象画像切替手段と、
動画再生処理が中断される中断期間の間、前記動画像データに基づく動作対象画像の一部とされている前記所定の静止対象画像を使用することで、前記画像表示装置上に前記静止対象画像を用いた静止画再生処理を行う静止画再生処理手段と、
前記中断期間が終了したときに、前記画像表示装置上の静止対象画像を動作対象画像に切り替え表示する動作対象画像切替手段と、
前記動作対象画像切替手段によって表示された動作対象画像から動画再生処理を再開する動画再生処理再開手段とを含む
ことを特徴とする遊技機。
【請求項６】
複数種類の識別情報の可変表示を行い、前記識別情報の表示結果が特定表示結果となったときに遊技者にとって有利な特定遊技状態とする遊技機であって、
遊技演出に用いられる画像を表示する画像表示装置と、
遊技者の選択操作を入力するための選択操作手段と、
動き補償予測符号化による圧縮データを含む動画像データを格納する圧縮データ格納手段と、
前記圧縮データ格納手段に格納されている動画像データを伸張するデータ伸張手段と、
前記データ伸張手段により伸張された動画像データに基づいて生成される画像を前記画像表示装置に順次表示させることによって動画再生を行うデータ再生手段と、
前記データ伸張手段により伸張された動画像データにおける各フレームデータに対し、フレームデータに基づく画像の前後方向の優先度を指定する優先度指定手段と、
前記優先度指定手段によって指定された優先度に応じて、フレームデータに基づいて生成される画像の透過度を高めるための半透明化処理を行うことによって、当該フレームデータに基づく画像を半透明化された画像とする半透明化処理手段と、
前記選択操作手段による選択操作の入力にもとづいて前記画像表示装置に表示されている画像の表示態様の切替表示を実行させる操作対応切替表示手段とを備え、
前記データ再生手段は、前記データ伸張手段によって連続的に伸張された複数のフレームデータを、前記優先度指定手段によって指定された優先度に応じて前後方向に重ね合わせる合成処理を実行することによって、前後方向の優先度が異なる複数のフレームデータを用いた合成表示を行う合成表示手段を含む
ことを特徴とする遊技機。
【請求項７】
複数種類の識別情報画像の可変表示を行い、前記識別情報画像の表示結果が特定表示結果となったときに遊技者にとって有利な特定遊技状態とする遊技機であって、
遊技演出に用いられる画像を表示する画像表示装置と、
遊技者の選択操作を入力するための選択操作手段と、
キャラクタを含む画像の画像データが動き補償予測符号化された圧縮データを含む動画像データを格納する圧縮データ格納手段と、
前記圧縮データ格納手段に格納されている動画像データを伸張するデータ伸張手段と、
前記データ伸張手段により伸張された動画像データに基づいて生成される画像を前記画像表示装置に順次表示させることによって動画再生を行うデータ再生手段と、
識別情報画像が表示される可変表示領域の一部に、前記識別情報画像に含まれるキャラクタ画像を表示するためのキャラクタ表示領域を設定するキャラクタ表示領域設定手段と、
前記選択操作手段による選択操作の入力にもとづいて前記画像表示装置に表示されている画像の表示態様の切替表示を実行させる操作対応切替表示手段とを備え、
前記データ再生手段は、
所定の切替条件が成立したときに、前記キャラクタ表示領域に表示されている画像を、動画再生を開始させる開始画像に切替表示するキャラクタ画像切替手段と、
前記キャラクタ画像切替手段によって切替表示された前記開始画像から動画再生を開始し、キャラクタ画像を用いた動画演出を実行するキャラクタ演出手段と、
前記キャラクタ演出手段による動画演出が終了したときに、前記キャラクタ表示領域に表示されている画像を、識別情報画像に切替表示する識別情報画像切替手段とを含む
ことを特徴とする遊技機。
【請求項８】
可変表示領域の表示態様がリーチ表示態様となったことにもとづいて所定の切替条件が成立し、
キャラクタ演出手段は、可変表示領域の表示態様がリーチ表示態様となっている期間中に、キャラクタ表示領域にてキャラクタ画像を用いた動画演出を実行する
ことを特徴とする請求項７記載の遊技機。
【請求項９】
１ゲームに対して賭け数を設定することによりゲームを開始させることが可能となり、可変表示装置の表示結果が導出表示されることにより１ゲームが終了し、前記可変表示装置の表示結果に応じて入賞が発生可能である遊技機であって、
遊技演出に用いられる画像を表示する画像表示装置と、
遊技者の選択操作を入力するための選択操作手段と、
キャラクタを含む画像の画像データが動き補償予測符号化された圧縮データを含む動画像データを格納する圧縮データ格納手段と、
前記圧縮データ格納手段に格納されている動画像データを伸張するデータ伸張手段と、
前記データ伸張手段により伸張された動画像データに基づいて生成される画像を前記画像表示装置に順次表示させることによって動画再生を行うデータ再生手段と、
遊技演出に用いられる飾り識別情報を示す飾り識別情報画像が表示される可変表示領域の一部に、前記飾り識別情報画像に含まれるキャラクタ画像を表示するためのキャラクタ表示領域を設定するキャラクタ表示領域設定手段と、
前記選択操作手段による選択操作の入力にもとづいて前記画像表示装置に表示されている画像の表示態様の切替表示を実行させる操作対応切替表示手段とを備え、
前記データ再生手段は、
所定の切替条件が成立したときに、前記キャラクタ表示領域に表示されている画像を、動画再生を開始させる開始画像に切替表示するキャラクタ画像切替手段と、
前記キャラクタ画像切替手段によって切替表示された前記開始画像から動画再生を開始し、キャラクタ画像を用いた動画演出を実行するキャラクタ演出手段と、
前記キャラクタ演出手段による動画演出が終了したときに、前記キャラクタ表示領域に表示されている画像を、飾り識別情報画像に切替表示する飾り識別情報画像切替手段とを含む
ことを特徴とする遊技機。
【発明の詳細な説明】
【０００１】
【発明の属する技術分野】
本発明は、パチンコ遊技機等の遊技機にかかり、特に、遊技者の選択操作を入力するための選択操作手段が搭載された遊技機に関する。
【０００２】
【従来の技術】
パチンコ遊技機等の遊技機においては、液晶表示装置（ＬＣＤ：Ｌｉｑｕｉｄ　Ｃｒｙｓｔａｌ　Ｄｉｓｐｌａｙ）等の表示装置上に所定の識別情報（以下、表示図柄）を更新表示させることで変動表示を行い、その表示結果により所定の遊技価値を付与するか否かを決定する、いわゆる可変表示ゲームによって遊技興趣を高めたものが数多く提供されている。
【０００３】
可変表示ゲームには、主に、前述した表示装置を画像表示装置として用いることにより行うもの（以下、特図ゲーム）がある。特図ゲームは、所定領域を通過する遊技球の検出に伴って表示図柄の更新表示を行い、表示図柄の更新表示が完全に停止した際の停止図柄態様が特定表示態様となっている場合を「大当り」とするゲームである。特図ゲームにおいて「大当り」となると、大入賞口と呼ばれる特別電動役物を作動させ、大入賞口扉を開放状態とする。これによって、遊技者に対して遊技球の入賞が極めて容易となる状態を一定時間継続的に提供する。
【０００４】
以下、特図ゲームにおいて大当りとなり、大入賞口扉が開放状態となることで、遊技者に対して遊技球の入賞が極めて容易となる状態となることを特定遊技状態という。特定遊技状態となるためには、通常、特別図柄表示装置に表示される表示図柄の停止図柄態様が予め定められた特定表示態様となること（一般的には表示図柄が同一図柄で揃うこと）が条件となる。
【０００５】
このように、遊技者にとって特図ゲームでは、停止図柄態様が特定表示態様となって「大当り」となるか否かに最大の関心が払われることになる。このため、「大当り」となるか否かを判別することのできる停止図柄態様の確定までの間に、表示図柄の変動態様を異ならせる等の遊技興趣を高めるための様々な演出表示が行われる。
【０００６】
このような遊技機では、一般に、遊技状態に応じて、可変表示装置に所定のキャラクタを登場させたり、そのキャラクタを変化させたり、ランプ・ＬＥＤ等の発光体を明滅させたりすることによって各種の遊技演出が行われている。また、可変表示装置に実写画像などの多色画像を表示させることによって遊技演出を行うものもある。
【０００７】
通常、可変表示装置に多色画像による動画像を表示することによって演出表示を行う場合には、動画像データのデータ量が膨大なものとなるため、遊技演出に用いる動画像データは、例えばＭＰＥＧ２（Ｍｏｖｉｎｇ　Ｐｉｃｔｕｒｅ　Ｅｘｐｅｒｔｓ　Ｇｒｏｕｐ　ｐｈａｓｅ　２）などの符号化技術によりデータ圧縮された状態で遊技機が備えるＲＯＭなどの記憶媒体に格納される。
【０００８】
【発明が解決しようとする課題】
一般に、動画像データは各遊技演出毎に複数種類設けられ、それら複数種類の動画像データにもとづく複数種類の動画像を遊技中の各所で表示することによって遊技演出が行われる。このため、複数の異なる動画像による動画像演出が実行されるが、動画像を単に異ならせるだけでは、遊技者に飽きられてしまうおそれがあるという課題がった。
【０００９】
また、動画像による演出を行う場合、静止画像による演出から動画像による演出に移行するときや、動画像による演出から静止画像による演出に移行するときに、表示されている画像が段々薄れてきてやがて消失するようなフェードアウト表示や、画面上に画像が段々現れてきてやがてはっきりと表示されるようなフェードイン表示を行うことによって表示画像を切り替えることがある。例えば、リーチ演出において、特別図柄の可変表示内容がリーチ表示に発展した後に、背景画面を静止画像から動画像に切り替える際、フェードアウト表示やフェードイン表示によって表示内容を切り替えるものがある。
【００１０】
しかし、フェードアウト表示を行うために、フェードアウト表示用の動画像データが用いられ、同様に、フェードイン表示を行うために、フェードイン表示用の動画像データが用いられている。すなわち、フェードアウト表示用の動画像データとフェードイン表示用の動画像データを予め用意し、遊技演出を行うための動画像データの前後にフェードアウト表示用の動画像データやフェードイン表示用の動画像データをつなぎ、その動画像データを再生することで、フェードアウト表示やフェードイン表示を実現するようにしている。このため、フェードアウト表示やフェードイン表示を行うためには、膨大なデータ量の動画像データを必要としていた。従って、フェードアウト表示やフェードイン表示を行うためには、データ圧縮されてはいるが、多大なデータ量の動画像データを必要とするので、動画像データの総データ量が増大することになってしまい、動画像データを格納する記憶領域の必要容量が増大してしまうという課題がある。
【００１１】
フェードアウト表示やフェードイン表示による演出期間を短縮させることによって、フェードアウト表示用の動画像データやフェードイン表示用の動画像データのデータ量を削減することが考えられるが、演出期間が短縮されると、切替表示の際に画像が突然消失したり突然現れるようになってしまい、フェードアウト表示やフェードイン表示が円滑な表示内容でなくなってしまう。
【００１２】
また、動画像による演出では、登場するキャラクタなどが頻繁に動作する動きの多い場面ばかりでなく、表示内容の変化が少ない動きのほとんどない場面も存在する。しかし、動画像による演出を行う場合には、動きがほとんどない場面であっても、時間経過毎に用意されている各画像データをその時間経過とともに順次切り替えていく処理が行われる。すなわち、動きのほとんどない場面を表示するための多大なデータ量の動画像データが予め用意され、その動画像データを用いて動きのほとんどない場面が再生表示されている。外見上表示内容が全く変化していないような場面を表示する場合についても、同様に、多大なデータ量の動画像データが用いられている。
【００１３】
上記のように、動きのほとんどない場面の表示を行うために、膨大なデータ量の動画像データを必要としていた。このように、動画像による演出を行う場合には、動きのほとんどない場面であっても多大なデータ量の動画像データを必要とするので、動画像データの総データ量が増大することになってしまい、動画像データを格納する記憶領域の必要容量が増大してしまうという課題があった。
【００１４】
また、動画像による演出を行う場合、多色画像による動画像を表示するようにすれば、様々な場面を多色画像によって表現することができるため、リアルな映像表現を行うことができる。しかし、ほぼ平面上に形成されている表示パネルに動画像が表示されるため、単に動画像による演出を行うだけでは、例えばスクリーン画面上に投影表示される映画のように平面的なものとなる。このように、遊技機における動画像による演出が平面的な表示による演出に止まっているため、臨場感のある表示演出を行うことができないという課題があった。
【００１５】
さらに、識別情報の可変表示中に動画像による演出を行う場合に、識別情報の背面全体に動画像を表示するものがある。
【００１６】
しかし、識別情報の背面全体に動画像を表示する場合には、可変表示装置のほぞ全域に動画像を表示することになるため、動画像データのデータ量が膨大なものとなってしまうという上記の同様の課題がある。この場合、画面の一部に動画像を表示することが考えられるが、そのようにすると、識別情報の可変表示中に動画像による演出を行う場合には、識別情報が画面の中心部分に表示されるため、動画像が画面の端部で表示されることとなり、動画像による演出が行われていても、遊技者の注意が引き付けられず、演出による効果が得られていない可能性があるという別の課題が生じる結果となる。すなわち、動画像による演出によって遊技に関する各種の報知を行うようにしていても、遊技者がそれに気付かない可能性があった。
【００１７】
本発明は、上記した問題点に鑑みなされたもので、その目的とするところは、データ量を極力削減した無駄のない動画像データを用いて、フェードアウト表示やフェードイン表示等の動画像データを用いた多様な遊技演出を実行する遊技機に関する。
【００１８】
【課題を解決するための手段】
本発明による遊技機は、図１に示すように、複数種類の識別情報（例えば、左中右の特別図柄、可変表示装置５０２に表示される図柄）の可変表示を行い、識別情報の表示結果が特定表示結果（例えば、有効ライン上に確定表示されている各図柄が同一図柄となっている表示結果）となったときに遊技者にとって有利な特定遊技状態（例えば、大当り遊技状態）とする遊技機であって、遊技演出に用いられる画像を表示する画像表示装置（例えば可変表示装置６、画像表示装置５４０）６ａと、遊技者の選択操作を入力するための選択操作手段（例えばタッチ部１６１ａ，１６１ｂ。具体的には、例えば発光部６５ａ，６５ｂと受光部６６ａ，６６ｂとを含む人体センサ。）８０ａと、動き補償予測符号化による圧縮データを含む動画像データを格納する圧縮データ格納手段（例えばＣＧＲＯＭ８３）８０ｂと、圧縮データ格納手段８０ｂに格納されている動画像データを伸張するデータ伸張手段（例えば動画圧縮・伸張部８９におけるステップＳ２０８，ステップＳ２１２，ステップＳ２１６，ステップＳ２２３を実行する部分）８０ｃと、データ伸張手段８０ｃにより伸張された動画像データに基づいて生成される画像を画像表示装置に順次表示させることによって動画再生を行うデータ再生手段（例えばＧＣＬ８１における図１８に示す処理を実行する部分）８０ｄと、画像表示装置に表示されている画像の切替表示を実行させる切替表示手段（例えばＧＣＬ８１における人体センサの検出結果に従って表示態様を切り替える処理を実行する部分や、フェードイン表示などによって表示画像を切り替える処理を実行する部分）８０ｅとを備え、切替表示手段８０ｅは、段階的に画像を出現させるフェードイン処理を行うことで画像表示装置上の表示画像の切替表示を実行させるフェードイン切替表示手段（例えばＧＣＬ８１における図１９の処理を実行する部分）８０ｅａと、選択操作手段８０ａによる選択操作の入力にもとづいて画像表示装置６ａに表示されている画像の表示態様の切替表示を実行させる操作対応切替表示手段（例えばＧＣＬ８１における人体センサの検出結果に従って表示態様を切り替える処理を実行する部分）８０ｅｂとを有し、フェードイン切替表示手段８０ｅａが、再生開始時に使用されるフレームデータから透過度を段階的に高めていった複数のフェードイン画像（例えば図２１（Ｂ）〜図２１（Ｄ）に示す各画像）を生成（例えば図１９に示すフェードイン処理を繰り返し実行することで生成する）するフェードイン画像生成手段（例えばＧＣＬ８１におけるステップＳ２４２を実行する部分）８０ｅａａと、フェードイン画像生成手段ｅａａにより生成された各フェードイン画像を、透過度が最も高められているフェードイン画像（例えば図２０にてＮ＝９９とした数式を用いて生成したフェードイン画像。具体的には図２１（Ａ）に示す画像）から、透過度がより低いフェードイン画像に順次移行させ（例えば図２１（Ｂ）、図２１（Ｃ）に順次移行させる）、最終的にフレームデータの画像を表示させる（例えば図２０にてＮ＝０とした数式を用いて生成したフェードイン画像を表示させる。具体的には、例えば図２１（Ｄ）に示す画像を表示させる）ことによってフェードイン処理を実行するフェードイン処理手段（例えばＧＣＬ８１における図１９に示す処理を実行する部分）８０ｅａｂと、フェードイン処理手段ｅａｂによるフェードイン処理が完了したあと、データ再生手段８０ｄによりフェードイン処理の完了時に表示されているフレームデータの画像から動画再生を開始させる動画再生開始手段（例えばＧＣＬ８１におけるステップＳ２５７にてフェードインフラグがオフされたあとにステップＳ２４５又はステップＳ２４６での表示処理を実行する部分）８０ｅａｃとを含むことを特徴とする。
【００１９】
フェードイン切替表示手段が、フェードイン処理にて、所定の中間画像を介して段階的に画像を出現させる構成とされていてもよい。
【００２０】
また、本発明の遊技機は、複数種類の識別情報の可変表示を行い、識別情報の表示結果が特定表示結果となったときに遊技者にとって有利な特定遊技状態とする遊技機であって、遊技演出に用いられる画像を表示する画像表示装置と、遊技者の選択操作を入力するための選択操作手段と、動き補償予測符号化による圧縮データを含む動画像データを格納する圧縮データ格納手段と、圧縮データ格納手段に格納されている動画像データを伸張するデータ伸張手段と、データ伸張手段により伸張された動画像データに基づいて生成される画像を画像表示装置に順次表示させることによって動画再生を行うデータ再生手段と、画像表示装置に表示されている画像の切替表示を実行させる切替表示手段とを備え、切替表示手段は、段階的に画像を消滅させるフェードアウト処理を行うことで画像表示装置上の表示画像の切替表示を実行させるフェードアウト切替表示手段（例えばＧＣＬ８１における図２２の処理を実行する部分）と、選択操作手段による選択操作の入力にもとづいて画像表示装置に表示されている画像の表示態様の切替表示を実行させる操作対応切替表示手段とを有し、フェードアウト切替表示手段は、遊技演出を実行するための動画像データを用いた動画再生を終了するときに、再生終了時に使用されるフレームデータの画像を表示する動画再生終了手段と（例えばＧＣＬ８１におけるステップＳ２１１にてフェードアウトフラグがオン状態とされたあとにステップＳ２１２にて復号化されたフレームデータを表示するときのステップＳ２４５又はステップＳ２４６の処理を実行する部分）、フレームデータから透過度を段階的に高めていった複数のフェードアウト画像を生成（例えば図２２に示すフェードアウト処理を繰り返し実行することで生成する）するフェードアウト画像生成手段（例えばＧＣＬ８１におけるステップＳ２６２を実行する部分）と、フェードアウト画像生成手段により生成された各フェードアウト画像を、フレームデータの画像（例えば図２３にてＭ＝０とした数式を用いて生成したフェードアウト画像）から、透過度がより高められているフェードアウト画像に順次移行させ、最終的に透過度が最も高められているフェードアウト画像を表示させる（例えば図２３にてＭ＝９９とした数式を用いて生成したフェードアウト画像を表示させる）ことによってフェードアウト処理を実行するフェードアウト処理手段（例えばＧＣＬ８１におけるステップＳ２６３を実行する部分）とを含むことを特徴とする。
【００２１】
フェードアウト切替表示手段が、フェードアウト処理にて、段階的に画像を消滅させて所定の中間画像を表示させるように構成されていてもよい。
【００２２】
また、本発明の遊技機は、複数種類の識別情報の可変表示を行い、識別情報の表示結果が特定表示結果となったときに遊技者にとって有利な特定遊技状態とする遊技機であって、遊技演出に用いられる画像を表示する画像表示装置と、遊技者の選択操作を入力するための選択操作手段と、動き補償予測符号化による圧縮データを含む動画像データを格納する圧縮データ格納手段と、圧縮データ格納手段に格納されている動画像データを伸張するデータ伸張手段と、データ伸張手段により伸張された動画像データに基づいて生成される画像を画像表示装置に順次表示させることによって動画再生処理を行うデータ再生手段と、選択操作手段による選択操作の入力にもとづいて画像表示装置に表示されている画像の表示態様の切替表示を実行させる操作対応切替表示手段とを備え、データ再生手段は、所定の静止対象画像表示タイミング（例えばステップＳ２０３にてＹと判定されたタイミング）となったことに応じて動画像データに基づく動作対象画像（例えば、図２９（Ａ）及び図２９（Ｂ）に示すキャラクタが動作している動画像）の動画再生処理を中断する動画再生処理中断手段（例えばＧＣＬ８１におけるステップＳ２０４〜ステップＳ２０５を実行する部分）と、静止対象画像表示タイミングにて動画再生処理が中断されたときに、動画像データに含まれる静止対象画像データ（例えば静止表示対象ピクチャを示す画像データ）に基づいて、画像表示装置上の動作対象画像を所定の静止対象画像（例えば図２９（Ｃ）に示す画像）に切り替え表示する静止対象画像切替手段（例えばＧＣＬ８１におけるステップＳ２０３にてＹと判定されたあとのステップＳ２１６で展開されたフレームデータに基づく画像を表示するステップＳ２４５又はステップＳ２４６の処理を実行する部分）と、動画再生処理が中断される中断期間（例えば静止表示時間タイマがタイムアウトするまでの期間）の間、動画像データに基づく動作対象画像の一部とされている所定の静止対象画像を使用することで（例えば、ステップＳ２５０の処理を実行しないようにすることで実現される）、画像表示装置上に静止対象画像を用いた静止画再生処理（例えば、図２９（Ｃ）〜図２９（Ｅ）のように同一の静止対象画像に順次切り替えていく処理を示す）を行う静止画再生処理手段（例えばＧＣＬ８１におけるステップＳ２５０での更新がなされていない再生領域指定ポインタが指すフレームデータに基づくステップＳ２４５又はステップＳ２４６の表示処理を実行する部分）と、中断期間が終了したとき（例えばステップＳ２４８にてＹと判定されたとき）に、画像表示装置上の静止対象画像を動作対象画像（例えば動画像データにおける静止対象画像データの次に設けられている画像データに基づく画像。具体的には、例えば図２９（Ｅ）と同一の画像。）に切り替え表示する動作対象画像切替手段（例えばＧＣＬ８１におけるステップＳ２５０の処理を再開したあとの最初のステップＳ２４５又はステップＳ２４６を実行する部分）と、動作対象画像切替手段によって表示された動作対象画像から動画再生処理を再開（例えば、静止対象画像データの後に設けられている画像データを用いて動画再生処理が再開され、図２９（Ｆ）や図２９（Ｇ）に示すような画像などが表示されるようにする）する動画再生処理再開手段（例えばＧＣＬ８１におけるステップＳ２５０の処理が再開されて最初のステップＳ２４５又はステップＳ２４６の処理が実行されたあとの動画再生処理を実行する部分）とを含むことを特徴とする。
【００２３】
また、本発明の遊技機は、複数種類の識別情報の可変表示を行い、識別情報の表示結果が特定表示結果となったときに遊技者にとって有利な特定遊技状態とする遊技機であって、遊技演出に用いられる画像を表示する画像表示装置と、遊技者の選択操作を入力するための選択操作手段と、動き補償予測符号化による圧縮データを含む動画像データを格納する圧縮データ格納手段と、圧縮データ格納手段に格納されている動画像データを伸張するデータ伸張手段と、データ伸張手段により伸張された動画像データに基づいて生成される画像を画像表示装置に順次表示させることによって動画再生を行うデータ再生手段と、データ伸張手段により伸張された動画像データにおける各フレームデータに対し、フレームデータに基づく画像の前後方向の優先度を指定する優先度指定手段（例えばＧＣＬ８１におけるステップＳ２２４を実行する部分）と、優先度指定手段によって指定された優先度に応じて、フレームデータに基づいて生成される画像の透過度を高めるための半透明化処理を行うことによって、当該フレームデータに基づく画像を半透明化された画像とする半透明化処理手段（例えばＧＣＬ８１におけるステップＳ２３７を実行する部分）と、選択操作手段による選択操作の入力にもとづいて画像表示装置に表示されている画像の表示態様の切替表示を実行させる操作対応切替表示手段とを備え、データ再生手段が、データ伸張手段によって連続的に伸張された複数のフレームデータ（例えば、図２７に示す合成実行画像の画像データ）を、優先度指定手段によって指定された優先度に応じて前後方向に重ね合わせる合成処理（例えばステップＳ２４０）を実行することによって、前後方向の優先度が異なる複数のフレームデータを用いた合成表示（例えば、図２８（Ａ）〜図２８（Ｃ）に示すような合成画像の表示。なお、図２８（Ａ）〜図２８（Ｃ）に示すような合成画像を順次表示していくことで合成画像による動画像が表示される。）を行う合成表示手段（例えばＧＣＬ８１におけるステップＳ２４０〜ステップＳ２４１を実行する部分）を含むことを特徴とする。
【００２４】
また、本発明の遊技機は、複数種類の識別情報画像の可変表示を行い、識別情報画像の表示結果が特定表示結果となったときに遊技者にとって有利な特定遊技状態とする遊技機であって、遊技演出に用いられる画像を表示する画像表示装置と、遊技者の選択操作を入力するための選択操作手段と、キャラクタを含む画像の画像データが動き補償予測符号化された圧縮データを含む動画像データを格納する圧縮データ格納手段と、圧縮データ格納手段に格納されている動画像データを伸張するデータ伸張手段と、データ伸張手段により伸張された動画像データに基づいて生成される画像を画像表示装置に順次表示させることによって動画再生を行うデータ再生手段と、識別情報画像が表示される可変表示領域（例えば特別図柄表示領域）の一部に、識別情報画像に含まれるキャラクタ画像を表示するためのキャラクタ表示領域（例えば動画像表示領域）を設定するキャラクタ表示領域設定手段（例えばＧＣＬ８１におけるステップＳ２８２を実行する部分）と、選択操作手段による選択操作の入力にもとづいて画像表示装置に表示されている画像の表示態様の切替表示を実行させる操作対応切替表示手段とを備え、データ再生手段が、所定の切替条件が成立したとき（例えば、動画像による演出を実行することに決定されている場合において、識別情報画像からキャラクタ画像に切り替えるタイミングとなったとき）に、キャラクタ表示領域に表示されている画像（例えば、図３１（Ａ）に示す動画像表示領域に表示されている画像）を、動画再生を開始させる開始画像（例えば、図３１（Ｂ）に示す動画像表示領域に表示されている画像）に切替表示（例えば、動画像による演出表示を開始するときに、動画像表示領域が設定されている領域に表示されている特別図柄の画像から、動画像として使用される最初の画像に切り替えることを意味する）するキャラクタ画像切替手段（例えばＧＣＬ８１におけるステップＳ２８２にて動画像表示領域が設定されたあと最初にステップＳ２４５の表示処理を実行する部分）と、キャラクタ画像切替手段によって切替表示された開始画像（例えば、図３１（Ｂ）に示す動画像表示領域に表示されている画像）から動画再生を開始し、キャラクタ画像（例えば、図３１（Ｃ）や図３１（Ｄ）に示す動画像表示領域に表示されている画像）を用いた動画演出を実行（例えば動画再生処理によって動画演出を実行する）するキャラクタ演出手段（例えばＧＣＬ８１におけるステップＳ２８２にて動画像表示領域が設定されている間にステップＳ２４５の表示処理を実行する部分）と、キャラクタ演出手段による動画演出が終了したときに、キャラクタ表示領域に表示されている画像（例えば、図３１（Ｄ）に示す動画像表示領域に表示されている画像）を、識別情報画像（例えば、図３１（Ｅ）に示す動画像表示領域に表示されている画像）に切替表示（例えば、動画像による演出表示を終了するときに、動画像として使用される最後の画像から、動画像表示領域が設定されている領域に表示される特別図柄の画像に切り替えることを意味する）する識別情報画像切替手段（例えばＧＣＬ８１におけるステップＳ２８６にて動画像表示領域の設定が解除されたあとに特別図柄の画像を表示する処理を実行する部分）とを含むことを特徴とする。
【００２５】
可変表示領域の表示態様がリーチ表示態様となったことにもとづいて所定の切替条件（例えば、動画像による演出を実行すること及び実行タイミングが決定されている場合において、決定された実行タイミングになったときに成立する条件。具体的には、例えば動画像表示領域の表示状態が図３１（Ａ）の表示状態となったときに成立するように予め設定されている条件。）が成立し、キャラクタ演出手段が、可変表示領域の表示態様がリーチ表示態様となっている期間中（リーチ態様となっている期間の一部であっても全部であってもよい）に、キャラクタ表示領域にてキャラクタ画像を用いた動画演出を実行するように構成されていてもよい。
【００２６】
さらに、本発明の遊技機は、１ゲームに対して賭け数を設定することによりゲームを開始させることが可能となり、可変表示装置（例えば、可変表示装置５０２に図柄を表示させるための装置）の表示結果が導出表示されることにより１ゲームが終了し、可変表示装置の表示結果に応じて入賞が発生可能である遊技機（例えば、スロットマシン５００）であって、遊技演出に用いられる画像を表示する画像表示装置（例えば、画像表示装置５４０）と、遊技者の選択操作を入力するための選択操作手段と、キャラクタを含む画像の画像データが動き補償予測符号化された圧縮データを含む動画像データを格納する圧縮データ格納手段と、圧縮データ格納手段に格納されている動画像データを伸張するデータ伸張手段と、データ伸張手段により伸張された動画像データに基づいて生成される画像を画像表示装置に順次表示させることによって動画再生を行うデータ再生手段と、遊技演出に用いられる飾り識別情報を示す飾り識別情報画像が表示される可変表示領域の一部に、飾り識別情報画像に含まれるキャラクタ画像を表示するためのキャラクタ表示領域を設定するキャラクタ表示領域設定手段と、選択操作手段による選択操作の入力にもとづいて画像表示装置に表示されている画像の表示態様の切替表示を実行させる操作対応切替表示手段とを備え、データ再生手段が、所定の切替条件が成立したときに、キャラクタ表示領域に表示されている画像を、動画再生を開始させる開始画像に切替表示するキャラクタ画像切替手段と、キャラクタ画像切替手段によって切替表示された開始画像から動画再生を開始し、キャラクタ画像を用いた動画演出を実行するキャラクタ演出手段と、キャラクタ演出手段による動画演出が終了したときに、キャラクタ表示領域に表示されている画像を、飾り識別情報画像に切替表示する飾り識別情報画像切替手段とを含むことを特徴とする。
【００２７】
【発明の実施の形態】
以下、図面を参照しつつ、本発明の一実施形態を詳細に説明する。なお、本実施形態における遊技機としては、ＬＣＤ等からなる画像表示装置（可変表示装置）により特図ゲームを行う遊技機であり、プリペイドカードによって球貸しを行うカードリーダ（ＣＲ：Ｃａｒｄ　Ｒｅａｄｅｒ　）式の第１種パチンコ遊技機を例にとって説明する。しかし、適用対象となる遊技機は、これに限るものではなく、例えば、ＬＣＤを搭載したスロットマシン等の遊技機にも適用可能である。また、パチンコ遊技機等の弾球遊技機であっても、画像表示装置を有するものであれば、例えば、第２種あるいは第３種に分類される遊技機や、一般電役機、又はパチコンと呼ばれる確率設定機能付き弾球遊技機等であっても構わない。さらには、プリペイドカード（将来的にはＩＣコイン等も含む価値媒体）によって球貸しを行うＣＲ式パチンコ遊技機だけでなく、現金によって球貸しを行うパチンコ遊技機にも適用可能である。すなわち、ＬＣＤ等からなる画像表示装置を有し、特図ゲームに相当する演出表示を行うことが可能な遊技機であれば、どのような形態のものであっても構わない。
【００２８】
まず、ＣＲ式第１種パチンコ遊技機の全体の構成について説明する。図２はパチンコ遊技機を正面から見た正面図である。
パチンコ遊技機１は、大別して、遊技盤面を構成する遊技盤２と、遊技盤２が着脱可能に取り付けられる遊技機用枠３とで構成される。遊技盤２の前面には遊技領域４が形成されている。なお、遊技機１の前面側の下部右側には、打球を発射するハンドル５が設けられている。
【００２９】
遊技領域４の中央付近には、それぞれが識別情報としての図柄を可変表示する複数の可変表示部を含む可変表示部１７０を有する可変表示装置６が設けられている。可変表示装置６は、ＬＣＤによって構成され、「左」、「中」、「右」の３つ特別図柄が表示される図柄表示エリア（可変表示部）が設けられている。図柄表示エリアには、変動表示の表示結果が大当り表示態様であるか否かを特定するための有効ラインが予め設定されている。有効ライン上で最終的に停止した各特別図柄の組合せによって大当り表示態様であるか否かが特定され、有効ライン上に各特別図柄が同一図柄で揃っている場合に大当り表示態様であることが特定される。したがって、遊技者は可変表示装置６における有効ライン上の表示態様を確認することで、大当りとなったか否かを容易に認識することができる。
【００３０】
また、可変表示装置６には、始動入賞口７に入った有効入賞球数すなわち始動入賞記憶数を表示する４つの特別図柄始動記憶表示エリア（以下、始動記憶表示エリア）８が設けられている。始動記憶表示エリアには、始動入賞記憶数が４未満のときの有効始動入賞に対応して、入賞表示が行われる。具体的には、通常青色表示であった表示を赤色表示に変化させる。この例では、図柄表示エリアと始動記憶表示エリア８とが区分けされて設けられているので、可変表示中も始動入賞記憶数が表示された状態とすることができる。なお、始動記憶表示エリア８を図柄表示エリアの一部に設けるようにしてもよく、この場合には、可変表示中は始動入賞記憶数の表示を中断するようにすればよい。また、この例では、始動記憶表示エリア８を可変表示装置６に設けるようにしているが、始動入賞記憶数を表示する表示器（特別図柄始動記憶表示器）を可変表示装置６とは別個に設けるようにしてもよい。
【００３１】
可変表示装置６の下方には、開閉動作を行う普通電動役物９を兼用する始動入賞口７と、特定遊技状態（大当り状態）においてソレノイド等を駆動することで開状態とされる大入賞口１０とが上下に並んで配設されており、始動入賞口７の左側には、ゲート１３が配設されている。大入賞口１０は、大入賞口扉１１を開閉することによって開状態あるいは閉状態とされる。ゲート１３に遊技球が入賞すると、普通図柄表示装置１４において表示状態が変化する可変表示が開始される。普通図柄表示装置１４の近傍には、普通図柄始動入賞記憶数を表示する４つのＬＥＤによる表示部を有する普通図柄始動記憶表示器１５が設けられている。また、遊技盤２には、複数の入賞口１６，１７，１８，１９が設けられている。
【００３２】
遊技機用枠３の左右上部には、効果音を発する２つのスピーカ２０Ｌ，２０Ｒが設けられている。また、遊技領域４の外周には、天枠ランプ２１ａ、左枠ランプ２１ｂ及び右枠ランプ２１ｃが設けられている。さらに、図示はしないが、遊技領域４における各構造物（大入賞口等）の周囲には装飾用ＬＥＤが設置されている。天枠ランプ２１ａ、左枠ランプ２１ｂ及び右枠ランプ２１ｃ及び装飾用ＬＥＤは、遊技機に設けられている発光体の一例である。
【００３３】
さらに、この実施の形態では、図２に示すように、可変表示部１７０の上方の２箇所に光を出射する発光部６５ａ，６５ｂが設置され、可変表示部１７０の下方に発光部６５ａ，６５ｂから出射され所定部位で反射された光を入射する受光部６６ａ，６６ｂが設けられている。なお、発光部６５ａと受光部６６ａとで１つの人体センサが構成され、発光部６５ｂと受光部６６ｂとで１つの人体センサが構成される。
【００３４】
次に、パチンコ遊技機１の裏面の構造について図３を参照して説明する。図３は、遊技機を裏面から見た背面図である。図３に示すように、遊技機裏面側では、可変表示装置６等を制御する演出制御基板１００、遊技制御用マイクロコンピュータ等が搭載された遊技制御基板（主基板）３０が設置されている。また、球払出制御を行う払出制御用マイクロコンピュータ等が搭載された払出制御基板４０が設置されている。また、所定の電源電圧を供給するための電源回路が搭載された電源基板１５０や発射制御基板９１が設けられている。さらに、主基板３０からの各種情報を遊技機外部に出力するための各端子を備えた盤用外部端子基板５０と、賞球個数や球貸し個数等の各種情報を遊技機外部に出力するための各端子を備えた枠用外部端子基板５１とが設置されている。
【００３５】
図４は、遊技制御部を中心としたシステム構成例を示すブロック図である。本実施形態におけるパチンコ遊技機１は、主として、電源部（電源基板）１５０と、遊技制御部（主基板）３０と、入力部５２と、出力部５３と、演出制御部（演出制御基板）１００と、払出制御部（払出制御基板）４０と、盤用外部端子基板５０と、枠用外部端子基板５１とを備えている。
【００３６】
遊技制御部３０は、ゲーム制御用のプログラム等を記憶するＲＯＭ３１、ワークメモリとして使用されるＲＡＭ３２、プログラムに従って制御動作を行うＣＰＵ３３及びＩ／Ｏポート部３４を含む。なお、ＣＰＵ３３はＲＯＭ３１に格納されているプログラムに従って制御を実行するので、以下、ＣＰＵ３３が実行する（又は、処理を行う）ということは、ＣＰＵ３３がプログラムに従って制御を実行することをいう。このことは、主基板３０以外の他の基板に搭載されているＣＰＵについても同様である。また、図示はしないが、遊技制御部３０は、入力部５２からの信号入力を受け付けるスイッチ回路と、出力部５３に向けて駆動信号の出力を行うソレノイド回路とを備えている。なお、遊技制御部３０は、遊技に用いられる各種の乱数を生成する機能、演出制御部１００や払出制御部４０に制御コマンドを出力する機能、ホールの管理コンピュータに対して各種情報を出力する機能等の各種の機能を有している。
【００３７】
入力部５２は、始動入賞口７への入賞球を検出する始動口スイッチ７ａ、ゲート１３への入賞球を検出するゲートスイッチ１３ａ、大入賞口１０から遊技盤２の背面に導かれた入賞球のうち一方（Ｖ入賞領域）に入った入賞球を検出する特定領域スイッチ２２、大入賞口１０からの入賞球を検出するカウントスイッチ２３、各入賞口１６，１７，１８，１９への入賞球を検出する入賞口スイッチ１６ａ，１７ａ，１８ａ，１９ａ等の各種の検出手段によって構成される。上記の各スイッチは、センサと称されているものでもよい。すなわち、遊技球の検出等の、各種の検出を行うことができる検出手段であれば、その名称を問わない。
【００３８】
出力部５３は、可変入賞球装置９を開閉するための普通電動役物ソレノイド９ａ、開閉板１１の開閉に用いられる大入賞口扉ソレノイド１１ａ及び大入賞口１０内の経路の切り換えに用いられる大入賞口内誘導板ソレノイド１２ａ等の各種の駆動手段によって構成される。
【００３９】
図４に示すように、演出制御部１００は、可変表示装置６や普通図柄表示装置１４等の表示に関する制御を行う表示制御部８０と、スピーカ２０Ｌ，２０Ｒ等の音に関する制御を行う音制御部７０と、天枠ランプ２１ａ等の発光体に関する制御を行うランプ制御部６０とを備えている。演出制御部１００は、遊技制御部３０からの制御コマンドに基づいて、特別図柄を可変表示する可変表示装置６及び普通図柄を可変表示する普通図柄表示装置１４の表示制御、音声出力制御、ランプ表示制御をそれぞれ実行する。
【００４０】
払出制御部４０は、遊技球の貸出や賞球等の払出制御を実行する機能を有している。また、盤用外部端子基板５０及び枠用外部端子基板５１は、各種遊技関連情報を外部に出力する役割を果たす。さらに、電源部１５０は、パチンコ遊技機１内の各回路に、所定の電源電圧を供給するために設けられている。
【００４１】
ここで、本例のパチンコ遊技機１における遊技の様子について説明する。打球発射装置から発射された遊技球は、打球レールを通って遊技領域４に入り、その後、遊技領域４を下りてくる。打球が始動入賞口７に入り始動口スイッチ７ａで検出されると、図柄の可変表示を開始できる状態であれば、可変表示装置６において特別図柄が可変表示（変動）を始める。図柄の可変表示を開始できる状態でなければ、始動入賞記憶数を１増やす。
【００４２】
可変表示装置６における特別図柄の可変表示は、一定時間が経過したときに停止する。停止時における有効ライン上の特別図柄の組合せが大当り表示態様であると、大当り遊技状態に移行する。具体的には、大入賞口１０が、一定時間経過するまで、又は、所定個数（例えば、１０個）の打球が入賞するまで開放する。そして、大入賞口１０の開放中に打球がＶ入賞領域に入賞し特定領域スイッチ２２で検出されると、継続権が発生し大入賞口１０が再度開放される。継続権の発生は、所定回数（例えば、１５ラウンド）許容される。
【００４３】
停止時の可変表示装置６における特別図柄の組合せが確率変動を伴う大当り図柄（確変図柄）の組合せである場合には、次に大当りとなる確率が高くなる。すなわち、確変状態という遊技者にとってさらに有利な状態（特別遊技状態）となる。
【００４４】
なお、可変表示装置６上に表示される特別図柄の仮停止タイミングや変動時間等は、後述する変動パターン指定コマンドに従って一意に定まっている。すなわち、演出制御部１００は、変動パターンコマンドを受け取ったタイミングから、可変表示装置６上における特別図柄の変動、スピーカ２０Ｌ，２０Ｒからの音声出力及びランプ・ＬＥＤ２１ａ等の明滅表示が連動して行われるように制御を実行する。
【００４５】
図５は、演出制御基板１００の回路構成を示すブロック図である。演出制御基板１００は、表示制御部８０と、音制御部７０と、ランプ制御部６０と、各制御部６０，７０，８０の制御を行う演出制御用ＣＰＵ１０１と、演出制御用のプログラムや図柄表示・発光・音声出力等の各種の演出パターン等を記憶するＲＯＭ１０２と、ワークメモリとして使用されるＲＡＭ１０３とを備えている。なお、図示はしないが、演出制御基板１００には、演出制御コマンドの受信に用いられるコマンド受信回路が設けられている。
【００４６】
演出制御用ＣＰＵ１０１は、ＲＯＭ１０２に格納されたプログラムに従って動作し、主基板３０からの演出制御コマンドを受信する。そして、演出制御用ＣＰＵ１０１は、受信した演出制御コマンドに従って、可変表示装置６の表示制御や、発光体の点灯／消灯制御、音出力制御、可動演出装置の駆動制御等の各種制御を行う。
【００４７】
可変表示装置６の表示制御は、具体的には、演出制御コマンドに応じた指令をＧＣＬ（Ｇｒａｐｈｉｃｓ　Ｃｏｎｔｒｏｌｌｅｒ　ＬＳＩ）８１に与える。ＧＣＬ８１は、ＣＧＲＯＭ８３等から必要なデータを読み出す。なお、ＣＧＲＯＭ８３には、使用頻度の高いキャラクタを示すデータが格納されている。ＣＧＲＯＭ８３に格納されている使用頻度の高いキャラクタとは、例えば、可変表示装置６に表示される人物、動物、又は、文字、図形もしくは記号等からなる画像である。なお、キャラクタには、実写による動画像や静止画像も含まれる。ＧＣＬ８１は、入力したデータに従って可変表示装置６に表示するための画像データを生成し、Ｒ（赤），Ｇ（緑），Ｂ（青）信号及び同期信号を可変表示装置６に出力する。可変表示装置６は、例えば、多数の画素（ピクセル）を用いたドットマトリクス方式による画面表示を行う。本例では、Ｒ，Ｇ，Ｂ信号がそれぞれ８ビットで表される。したがって、可変表示装置６は、ＧＣＬ８１からの指示に従って、Ｒ，Ｇ，Ｂそれぞれが２５６階調であり、約１６７０万色の多色表示を行うことができる。なお、Ｒ，Ｇ，Ｂ信号のビット数は８ビット以外のビット数であってもよく、また、Ｒ，Ｇ，Ｂ信号の各ビット数が互いに異なる数であってもよい。
【００４８】
表示制御部８０には、ＣＧＲＯＭ８３やＳＤＲＡＭ（ＶＲＡＭ）８４等の各種の記憶媒体が備えられている。ＳＤＲＡＭ８４には、フレームバッファ、キャラクタのソースデータ、表示色の特定や変更等のために用いられるパレットデータ等の表示画像に関するデータが格納される。また、表示制御部８０は、ＧＣＬ８１と、普通図柄表示装置１４に信号を出力するための普通図柄駆動回路８２とを備えている。
【００４９】
ＧＣＬ８１は、所定のパレットデータを一時的に保存するためなどに用いられるパレットデータバッファ８５や、所定のＣＧデータを一時的に保存するためなどに用いられるＣＧデータバッファ８６等の各種の記憶媒体の他、描画制御部と、可変表示装置６に信号を出力するための可変表示装置制御部８７及びＤＡＣ（ディジタルアナログコンバータ）８８と、動画圧縮処理や伸張処理を行う動画圧縮伸張部８９とを含む。描画制御部は、アトリビュート解析部８１ａと、ＶＲＡＭアドレス生成部８１ｂと、クリッピング部８１ｃと、半透明輝度変調部８１ｄとを含む。アトリビュート解析部８１ａは、キャラクタを描画する際に使用されるパラメータの解析を行う。このパラメータには、画像の描画順序、色数、拡大縮小率、パレット番号、座標等を指定するための情報が設定されている。なお、動画圧縮伸張部８９は、ＧＣＬ８１によって制御される構成としても、演出制御用ＣＰＵ１０１によって制御される構成としてもよい。
【００５０】
また、表示制御部８０は、駆動回路９０ａと、増幅回路９０ｂとを含む。この例では、発光部６５ａ，６５ｂを発光させるための駆動信号が、駆動回路９０ａを介して発光部６５ａ，６５ｂに出力される。また、受光部６６ａ，６６ｂからの信号は、図示しない入力ポートを介して表示制御部８０に入力され、増幅回路９０ｂにて増幅されたあとＧＣＬ８１等に入力される。なお、受光部６６ａ，６６ｂの出力信号が人体センサの出力信号に相当する。
【００５１】
音制御部７０は、遊技制御部３０からの制御コマンドに従って音声や効果音を発生する音声ＩＣ７１と、音声データ等を記憶する音声ＲＯＭ７２と、音声信号を増幅してスピーカ２０Ｌ，２０Ｒに出力するための低周波増幅回路７３と、低周波増幅回路７３から出力される音声信号の出力レベルを設定されている音量に応じたレベルにするディジタルボリューム７４とを備えている。
【００５２】
ランプ制御部６０は、ランプ・ＬＥＤ２４に含まれている遊技状態飾りランプ２４ａに信号を出力するためのランプ駆動回路６１と、ランプ・ＬＥＤ２４に含まれている遊技状態飾りＬＥＤ２４ｂに信号を出力するためのＬＥＤ駆動回路６２とを備えている。
【００５３】
図６は、遊技者が選択入力を入力するための選択操作手段としての人体センサの作用を説明するための説明図である。人体センサを構成する発光部６５ａ，６５ｂからの光は、遊技用枠３に設置されたガラスを透過する。しかし、ガラスにおける発光部６５ａ，６５ｂからの光の透過部に、光を反射可能な遮蔽物があると、光は遮蔽物で反射され、受光部６６ａ，６６ｂに到達する。従って、例えば遊技者が遮蔽物としての指等をタッチ部（発光部６５ａ，６５ｂからの光を反射する部分）１６１ａ，１６１ｂに当てると、受光部６６ａ，６６ｂに光が到達する。すなわち、受光部６６ａ，６６ｂに光が到達したことによって指が当てられたことが検出される。なお、受光部６６ａ，６６ｂの感度は、ガラスの外からの光を感知せず、発光部６５ａ，６５ｂからの光の遮蔽物による反射光を感知するように設定される。
【００５４】
タッチ部１６１ａ，１６１ｂは、後述するように、可変表示部１７０において選択画面（全画面のうちの一部であって、選択のための情報が表示される部分）に相当する位置になるように設定される。つまり、選択画面に相当する位置で光が反射するように、発光部６５ａ，６５ｂおよび受光部６６ａ，６６ｂの光軸が調整される。
【００５５】
なお、図６に示す構造の人体センサは一例であって、ガラスにおけるタッチ部１６１ａ，１６１ｂに遊技者の指等が当てられたことを検知できるのであれば、どのような構造の人体センサを用いてもよい。
【００５６】
次に遊技機の動作について説明する。図７は、主基板３０における遊技制御手段（ＣＰＵ３３及びＲＯＭ，ＲＡＭ等の周辺回路）が実行するメイン処理を示すフローチャートである。遊技機に対して電源が投入され、リセット端子の入力レベルがハイレベルになると、ＣＰＵ３３は、ステップＳ１以降のメイン処理を開始する。メイン処理において、ＣＰＵ３３は、まず、必要な初期設定を行う。
【００５７】
初期設定処理において、ＣＰＵ３３は、まず、割込み禁止に設定する（ステップＳ１）。次に、割込みモードを割込みモード２に設定し（ステップＳ２）、スタックポインタにスタックポインタ指定アドレスを設定する（ステップＳ３）。そして、内蔵デバイスレジスタの初期化を行う（ステップＳ４）。また、内蔵デバイス（内蔵周辺回路）であるＣＴＣ（カウンタ／タイマ）及びＰＩＯ（パラレル入出力ポート）の初期化（ステップＳ５）を行った後、ＲＡＭをアクセス可能状態に設定する（ステップＳ６）。
【００５８】
この実施の形態で用いられるＣＰＵ３３は、Ｉ／Ｏポート（ＰＩＯ）及びタイマ／カウンタ回路（ＣＴＣ）も内蔵している。また、ＣＴＣは、２本の外部クロック／タイマトリガ入力ＣＬＫ／ＴＲＧ２，３と２本のタイマ出力ＺＣ／ＴＯ０，１を備えている。
【００５９】
この実施の形態で用いられているＣＰＵ３３には、マスク可能な割込のモードとして以下の３種類のモードが用意されている。なお、マスク可能な割込が発生すると、ＣＰＵ３３は、自動的に割込み禁止状態に設定するとともに、プログラムカウンタの内容をスタックにセーブする。
【００６０】
割込みモード０：割込み要求を行った内蔵デバイスがＲＳＴ命令（１バイト）又はＣＡＬＬ命令（３バイト）をＣＰＵの内部データバス上に送出する。よって、ＣＰＵ３３は、ＲＳＴ命令に対応したアドレス又はＣＡＬＬ命令で指定されるアドレスの命令を実行する。リセット時に、ＣＰＵ３３は自動的に割込みモード０になる。よって、割込みモード１又は割込みモード２に設定したい場合には、初期設定処理において、割込みモード１又は割込みモード２に設定するための処理を行う必要がある。
【００６１】
割込みモード１：割込が受け付けられると、常に００３８（ｈ）番地に飛ぶモードである。
【００６２】
割込みモード２：ＣＰＵ３３の特定レジスタ（Ｉレジスタ）の値（１バイト）と内蔵デバイスが出力する割込みベクタ（１バイト：最下位ビット０）から合成されるアドレスが、割込み番地を示すモードである。すなわち、割込み番地は、上位アドレスが特定レジスタの値とされ下位アドレスが割込みベクタとされた２バイトで示されるアドレスである。したがって、任意の（飛び飛びではあるが）偶数番地に割込み処理を設置することができる。各内蔵デバイスは割込み要求を行うときに割込みベクタを送出する機能を有している。
【００６３】
よって、割込みモード２に設定されると、各内蔵デバイスからの割込み要求を容易に処理することが可能になり、また、プログラムにおける任意の位置に割込み処理を設置することが可能になる。さらに、割込みモード１とは異なり、割込み発生要因毎のそれぞれの割込み処理を用意しておくことも容易である。上述したように、この実施の形態では、初期設定処理のステップＳ２において、ＣＰＵ３３は割込みモード２に設定される。
【００６４】
次いで、ＣＰＵ３３は、遊技機に設けられているクリアスイッチがオン状態であるか否かを確認する（ステップＳ７）。その確認においてオンを検出した場合には、ＣＰＵ３３は、通常の初期化処理を実行する（ステップＳ１０〜ステップＳ１２）。クリアスイッチがオンの状態でない場合には、遊技機への電力供給が停止したときにバックアップＲＡＭ領域のデータ保護処理（例えば、パリティデータの付加等の電力供給停止時処理）が行われたか否か確認する（ステップＳ８）。そのような保護処理が行われていないことを確認したら、ＣＰＵ３３は初期化処理を実行する。バックアップＲＡＭ領域にバックアップデータがあるか否かは、例えば、電力供給停止時処理においてバックアップＲＡＭ領域に設定されるバックアップフラグの状態によって確認される。
【００６５】
バックアップありを確認したら、ＣＰＵ３３は、遊技制御手段の内部状態と演出制御手段等の電気部品制御手段の制御状態を電力供給停止時の状態に戻すための遊技状態復旧処理を行う（ステップＳ９）。そして、バックアップＲＡＭ領域に保存されていたＰＣ（プログラムカウンタ）の退避値がＰＣに設定され、そのアドレスに復帰する。
【００６６】
初期化処理では、ＣＰＵ３３は、まず、ＲＡＭクリア処理を行う（ステップＳ１０）。また、所定の作業領域（例えば、普通図柄判定用乱数カウンタ、普通図柄判定用バッファ、特別図柄左中右図柄バッファ、特別図柄プロセスフラグ、払出コマンド格納ポインタ、賞球中フラグ、球切れフラグ、払出停止フラグ等制御状態に応じて選択的に処理を行うためのフラグ）に初期値を設定する作業領域設定処理を行う。さらに、サブ基板（演出制御基板１００、払出制御基板４０）を初期化するための初期化コマンドをサブ基板に送信する処理を実行する（ステップＳ１１）。初期化コマンドとして、可変表示装置６に表示される初期図柄を示すコマンドや、払出可能状態であることを示す払出可能状態指定コマンド等がある。
【００６７】
そして、２ｍｓ毎に定期的にタイマ割込みがかかるようにＣＰＵ３３に設けられているＣＴＣのレジスタの設定が行われる（ステップＳ１２）。すなわち、初期値として２ｍｓに相当する値が所定のレジスタ（時間定数レジスタ）に設定される。
【００６８】
初期化処理の実行（ステップＳ１０〜Ｓ１２）が完了すると、メイン処理で、表示用乱数更新処理（ステップＳ１４）及び初期値用乱数更新処理（ステップＳ１５）が繰り返し実行される。表示用乱数更新処理及び初期値用乱数更新処理が実行されるときには割込み禁止状態とされ（ステップＳ１３）、表示用乱数更新処理及び初期値用乱数更新処理の実行が終了すると割込み許可状態とされる（ステップＳ１６）。表示用乱数とは、可変表示装置６に表示される図柄を決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。初期値用乱数とは、大当りとするか否かを決定するための乱数を発生するためのカウンタ（大当り決定用乱数発生カウンタ）等の初期値を決定するための乱数である。後述する遊技制御処理において、大当り決定用乱数発生カウンタのカウント値が１周すると、そのカウンタに初期値が設定される。
【００６９】
なお、表示用乱数更新処理が実行されるときには割込み禁止状態とされるのは、表示用乱数更新処理が後述するタイマ割込み処理でも実行されることから、タイマ割込み処理における処理と競合してしまうのを避けるためである。すなわち、ステップＳ１４の処理中にタイマ割込みが発生してタイマ割込み処理中で表示用乱数を発生するためのカウンタのカウント値を更新してしまったのでは、カウント値の連続性が損なわれる場合がある。しかし、ステップＳ１４の処理中では割込み禁止状態にしておけば、そのような不都合が生ずることはない。
【００７０】
タイマ割込みが発生すると、ＣＰＵ３３は、レジスタの退避処理（ステップＳ２０）を行った後、図８に示すステップＳ２１〜Ｓ３１の遊技制御処理を実行する。遊技制御処理において、ＣＰＵ３３は、まず、スイッチ回路５８を介して、ゲートスイッチ１２ａ、始動口スイッチ７ａ、カウントスイッチ２３及び入賞口スイッチ１６ａ等のスイッチの検出信号を入力し、それらの状態判定を行う（スイッチ処理：ステップＳ２１）。
【００７１】
次に、遊技制御に用いられる大当り判定用の乱数等の各判定用乱数を生成するための各カウンタのカウント値を更新する処理を行う（ステップＳ２３）。ＣＰＵ３３は、さらに、表示用乱数を生成するためのカウンタのカウント値を更新する処理を行う（ステップＳ２４）。
【００７２】
この例では、大当りを発生させるか否かの決定に用いられる大当り判定用乱数、特別図柄の左中右のはずれ図柄の決定に用いられるはずれ図柄決定用乱数、大当りを発生させる際の特別図柄の組合せを決定する際に用いられる大当り図柄決定用乱数、特別図柄の変動パターンの決定に用いられる変動パターン決定用乱数、普通図柄に基づく当りを発生させるか否かの決定に用いられる普通図柄当り判定用乱数、各乱数の初期値の決定に用いられる初期値決定用乱数等の各種の乱数が用意されている。
【００７３】
ステップＳ２３では、ＣＰＵ３３は、大当り判定用乱数、大当り図柄決定用乱数、及び普通図柄当り判定用乱数を生成するためのカウンタのカウントアップ（１加算）を行う。すなわち、それらが判定用乱数であり、それら以外の乱数が表示用乱数又は初期値用乱数である。
【００７４】
さらに、ＣＰＵ３３は、特別図柄プロセス処理を行う（ステップＳ２５）。特別図柄プロセス制御では、遊技状態に応じてパチンコ遊技機１を所定の順序で制御するための特別図柄プロセスフラグに従って該当する処理が選び出されて実行される。そして、特別図柄プロセスフラグの値は、遊技状態に応じて各処理中に更新される。また、普通図柄プロセス処理を行う（ステップＳ２６）。普通図柄プロセス処理では、普通図柄表示装置１４の表示状態を所定の順序で制御するための普通図柄プロセスフラグに従って該当する処理が選び出されて実行される。そして、普通図柄プロセスフラグの値は、遊技状態に応じて各処理中に更新される。
【００７５】
次いで、ＣＰＵ３３は、特別図柄に関する演出制御コマンドをＲＡＭ５５の所定の領域に設定して演出制御コマンドを送出する処理を行う（特別図柄コマンド制御処理：ステップＳ２７）。また、普通図柄に関する演出制御コマンドをＲＡＭ３２の所定の領域に設定して演出制御コマンドを送出する処理を行う（普通図柄コマンド制御処理：ステップＳ２８）。
【００７６】
さらに、ＣＰＵ３３は、例えば、ホール管理用コンピュータに供給される大当り情報、始動情報、確率変動情報等のデータを出力する情報出力処理を行う（ステップＳ２９）。
【００７７】
また、ＣＰＵ３３は、所定の条件が成立したときにソレノイド回路に駆動指令を行う（ステップＳ３０）。可変入賞球装置９又は開閉板１１を開状態又は閉状態としたり、大入賞口１０内の遊技球通路を切り替えたりするために、主基板３０が備えるソレノイド回路は、駆動指令に応じてソレノイド９ａ，１１ａ，１２ａを駆動する。
【００７８】
そして、ＣＰＵ３３は、入賞口スイッチ１６ａ，１７ａ，１８ａ，１９ａの検出信号に基づく賞球個数の設定等を行う賞球処理を実行する（ステップＳ３２）。具体的には、入賞口スイッチ１６ａ，１７ａ，１８ａ，１９ａのいずれかがオンしたことに基づく入賞検出に応じて、払出制御基板４０に賞球個数を示す払出制御コマンドを出力する。払出制御基板４０に搭載されている払出制御用ＣＰＵは、賞球個数を示す払出制御コマンドに応じて球払出装置を駆動する。その後、レジスタの内容を復帰させ（ステップＳ３２）、割込み許可状態に設定する（ステップＳ３３）。
【００７９】
以上の制御によって、この実施の形態では、遊技制御処理は２ｍｓ毎に起動されることになる。なお、この実施の形態では、タイマ割込み処理で遊技制御処理が実行されているが、タイマ割込み処理では例えば、割込が発生したことを示すフラグのセットのみがなされ、遊技制御処理はメイン処理において実行されるようにしてもよい。
【００８０】
この実施の形態では、左図柄、中図柄及び右図柄として、それぞれ「１」〜「１２」の図柄が、可変表示装置６において可変表示（変動）される。「１」〜「１２」の図柄には、図柄番号０〜１１の図柄番号が付されている。また、可変表示装置６における最終停止図柄（確定図柄）がそろった場合に大当りが発生する。そして、奇数の図柄でそろった場合に、大当りが発生する確率が向上した状態である高確率状態（確変状態）に変化する。
【００８１】
図９は、ＣＰＵ３３が実行する特別図柄プロセス処理のプログラムの一例を示すフローチャートである。図９に示す特別図柄プロセス処理は、図８のフローチャートにおけるステップＳ２５の具体的な処理である。ＣＰＵ３３は、特別図柄プロセス処理を行う際に、変動短縮タイマ減算処理（ステップＳ３１０）及び入賞確認処理（ステップＳ３１１）を行った後に、内部状態に応じて、ステップＳ３０１〜Ｓ３０９のうちのいずれかの処理を行う。変動短縮タイマは、特別図柄の変動時間が短縮される場合に、変動時間を設定するためのタイマである。
【００８２】
入賞確認処理（ステップＳ３１１）：始動入賞口７に打球入賞して始動口スイッチ７ａがオンするのを待つ。始動口スイッチ７ａがオンすると、始動入賞記憶数が満タン（この実施の形態での最大値である４に達している状態）でなければ、始動入賞記憶数を１加算するとともに、大当り決定用乱数等の各乱数を抽出する。そして、それらを始動入賞記憶数の値に対応した乱数値格納エリアに格納する。また、加算した後の始動入賞記憶数を指定する始動入賞記憶指定のコマンドを送信するための処理を行う。
【００８３】
特別図柄通常処理（ステップＳ３０１）：特別図柄の可変表示を開始できる状態（特別図柄プロセスフラグの値がステップＳ３０１を示す値となっている場合）になるのを待つ。なお、特別図柄プロセスフラグの値がステップＳ３０１を示す値となっている場合とは、可変表示装置６において図柄の変動がなされておらず、かつ、大当り遊技中でもない場合である。特別図柄の可変表示が開始できる状態になると、始動入賞記憶数を確認する。始動入賞記憶数が０でなければ、内部状態（特別図柄プロセスフラグ）をステップＳ３０２に移行するように更新する。
【００８４】
停止図柄設定処理（ステップＳ３０２）：始動入賞記憶数＝１に対応する乱数値格納エリアに格納されている値を読み出すとともに、始動入賞記憶数の値を１減らし、かつ、各乱数値格納エリアの値をシフトする。すなわち、始動入賞記憶数＝ｎ（ｎ＝２，３，４）に対応する乱数値格納エリアに格納されている各値を、始動入賞記憶数＝ｎ−１に対応する乱数値格納エリアに格納する。次いで、始動入賞記憶数＝１に対応する乱数値格納エリアに格納されている値（大当り判定用乱数の値等）に基づいて、大当り、ハズレ、リーチとするか等を判定し、その判定結果や可変表示開始時の制御状態等に基づいて、左中右図柄の停止図柄を決定する。処理を終えると、内部状態（特別図柄プロセスフラグ）をステップＳ３０３に移行するように更新する。
【００８５】
変動パターン設定処理（ステップＳ３０３）：停止図柄設定処理にて決定された停止図柄や変動パターン決定用乱数の値に基づいて、図柄の変動パターンを決定する。処理を終えると、内部状態（特別図柄プロセスフラグ）をステップＳ３０４に移行するように更新する。
【００８６】
全図柄変動処理（ステップＳ３０４）：可変表示装置６において全図柄が変動開始されるように制御する。このとき、演出制御基板１００に対して、左中右最終停止図柄と変動態様（変動パターン）を指令する情報（演出制御コマンド）とが送信される。具体的には、遊技制御手段は、可変表示を開始させるときに、変動パターン指定の演出制御コマンドを送信し、続いて、左図柄指定、中図柄指定、右図柄指定の演出制御コマンドを送信する。処理を終えると、内部状態（特別図柄プロセスフラグ）をステップＳ３０５に移行するように更新する。
【００８７】
全図柄停止処理（ステップＳ３０５）：所定時間（ステップＳ３０４でタイマにセットされる値に応じた時間）が経過すると、左右中図柄を最終停止（確定）させるために全図柄の停止を指示する演出制御コマンドを送信する。この演出制御コマンドの受信に基づいて、可変表示装置６において表示される全図柄が停止される。そして、遊技制御手段は、停止図柄が大当り図柄の組合せである場合には、内部状態（特別図柄プロセスフラグ）をステップＳ３０６に移行するように更新する。そうでない場合には、内部状態をステップＳ３０１に移行するように更新する。
【００８８】
大入賞口開放前処理（ステップＳ３０６）：大入賞口を開放する制御を開始する。具体的には、カウンタやフラグを初期化するとともに、大入賞口扉ソレノイド１１ａを駆動して大入賞口を開放する。また、プロセスタイマによって大入賞口開放中処理の実行時間を設定し、大当りフラグ（大当り中であることを示すフラグ）のセットを行う。処理を終えると、内部状態（特別図柄プロセスフラグ）をステップＳ３０７に移行するように更新する。
【００８９】
大入賞口開放中処理（ステップＳ３０７）：大入賞口ラウンド表示の演出制御コマンドデータを演出制御基板１００に送出する制御や大入賞口の閉成条件の成立を確認する処理等を行う。最終的な大入賞口の閉成条件が成立したら、内部状態をステップＳ３０８に移行するように更新する。
【００９０】
特定領域有効時間処理（ステップＳ３０８）：特定領域スイッチ２２の通過の有無を監視して、大当り遊技状態継続条件の成立を確認する処理を行う。大当り遊技状態継続の条件が成立し、かつ、まだ残りラウンドがある場合には、内部状態をステップＳ３０６に移行するように更新する。また、所定の有効時間内に大当り遊技状態継続条件が成立しなかった場合、又は、全てのラウンドを終えた場合には、内部状態をステップＳ３０９に移行するように更新する。
【００９１】
大当り終了処理（ステップＳ３０９）：大当り遊技状態が終了したことを遊技者に報知するための表示を指示する演出制御コマンドの送信を行う。その表示期間が終了したら、内部状態をステップＳ３０１に移行するように更新する。
【００９２】
本例では、遊技制御手段から各電気部品制御手段に対する指示等の情報伝達は、制御コマンドによって行われる。制御コマンドは、例えば、２バイト構成であり、１バイト目はＭＯＤＥ（コマンドの分類）を表し、２バイト目はＥＸＴ（コマンドの種類）を表す。演出制御基板１００に搭載されている演出制御手段は、ＩＮＴ信号（取込信号）が立ち上がったことを検知して、割込み処理によって１バイトのデータ（ＭＯＤＥデータ）の取り込み処理を開始し、その後の割込み処理によって１バイトのデータ（ＥＸＴデータ）の取り込み処理を開始する。
【００９３】
次に、演出制御手段の動作を説明する。図１０は、演出制御用ＣＰＵ１０１が実行するメイン処理を示すフローチャートである。メイン処理では、まず、ＲＡＭ領域のクリアや各種初期値の設定、また演出制御の起動間隔を決めるための２ｍｓタイマの初期設定等を行うための初期化処理が行われる（ステップＳ７０１）。その後、演出制御用ＣＰＵ１０１は、タイマ割込みフラグの監視（ステップＳ７０２）の確認を行うループ処理に移行する。タイマ割込みが発生すると、演出制御用ＣＰＵ１０１は、割込み処理内でタイマ割込みフラグをセットする。メイン処理において、タイマ割込みフラグがセットされていたら、演出制御用ＣＰＵ１０１は、そのフラグをクリアし（ステップＳ７０３）、以下の演出制御処理を実行する。
【００９４】
この実施の形態では、タイマ割込みは２ｍｓ毎にかかる。すなわち、演出制御処理は、２ｍｓ毎に起動される。また、この実施の形態では、タイマ割込み処理ではフラグセットのみがなされ、具体的な演出制御処理はメイン処理において実行されるが、タイマ割込み処理で演出制御処理を実行してもよい。
【００９５】
演出制御処理において、演出制御用ＣＰＵ１０１は、まず、受信した演出制御コマンドを解析する（コマンド解析実行処理：ステップＳ７０４）。次いで演出制御用ＣＰＵ１０１は、演出制御プロセス処理を行う（ステップＳ７０５）。演出制御プロセス処理では、制御状態に応じた各プロセスのうち、現在の制御状態に対応したプロセスを選択して実行する。そして、演出制御基板１００で用いられる各種の乱数カウンタを更新する処理を実行する（ステップＳ７０６）。さらに、演出制御用ＣＰＵ１０１は、遊技演出装置２５Ａ，２５Ｂ，２５Ｃによる演出を行う場合に、可動役物制御部１００が備える図示しないソレノイド回路に駆動指令を行う（ステップＳ７０７）。遊技演出装置２５Ａ，２５Ｂ，２５Ｃを動作させるために、可動役物制御部１００が備える図示しないソレノイド回路は、駆動指令に応じてソレノイド２５ａ，２５ｂ，２５ｃを駆動する。
【００９６】
そして、演出制御用ＣＰＵ１０１は、所定の表示態様選択受付タイミングとなっている場合には、可変表示装置６に後述する表示態様選択画面（図３２参照）を表示させ、表示態様の選択を受け付けるための表示態様選択受付処理を行う（ステップＳ７０８）。このステップＳ７０８での受付時に、人体センサからの信号入力があった場合には、演出制御用ＣＰＵ１０１は、入力信号に応じて演出における表示態様の設定を変更しておく。なお、表示態様の設定を変更した場合には、演出制御用ＣＰＵ１０１は、該当する演出が終了したあと、表示態様の設定を通常設定に戻す。表示態様選択受付タイミングは、例えば表示態様が複数用意されている演出を実行する前の所定のタイミングとされ、具体的には動画像によるリーチ演出を実行する前などが当該する。その後、ステップＳ７０２のタイマ割込みフラグの確認を行う処理に戻る。
【００９７】
ここで、主基板３０からの演出制御コマンドの受信について説明する。演出制御基板１００は、図示はしないが、主基板３０から受信した演出制御コマンドを格納するためのコマンド受信バッファを備えている。例えば、２バイト構成の演出制御コマンドを６個格納可能なリングバッファ形式のコマンド受信バッファが用いられる。演出制御手段は、変動パターン等の格納領域に格納される最新のコマンドに基づき制御される。これにより、主基板３０からの指示に迅速に対応することができる。演出制御用ＣＰＵ１０１は、主基板３０からのＩＮＴ信号がオン状態になると割込みがかかり、演出制御コマンドを受信するための処理を実行し、受信した演出制御コマンドをコマンド受信バッファに格納する。
【００９８】
そして、受信コマンドバッファに格納されているコマンドの内容がコマンド解析処理（ステップＳ７０４）で確認され、受信コマンドに対応するフラグのセット等の処理がなされる。例えば、コマンド受信バッファに受信コマンドが左中右の図柄を指定する図柄指定コマンドであれば、そのコマンドに含まれている指定図柄を特定可能なデータを停止図柄格納エリアに格納し、対応する有効フラグをセットする。また、例えば、コマンド受信バッファに受信コマンドが演出パターンを指定する変動パターンコマンドであれば、そのコマンドに含まれている変動パターンを特定可能なデータを変動パターン格納エリアに格納し、変動パターン受信フラグをセットする。
【００９９】
図１１は、図１０に示されたメイン処理における演出制御プロセス処理（ステップＳ７０５）を示すフローチャートである。演出制御プロセス処理では、表示制御プロセスフラグの値に応じてステップＳ８００〜Ｓ８０６のうちのいずれかの処理が行われる。各処理において、以下のような処理が実行される。
【０１００】
変動パターンコマンド受信待ち処理（ステップＳ８００）：変動時間を特定可能な演出制御コマンド（変動パターンコマンド）を受信したか否か確認する。具体的には、変動パターンコマンドが受信されたことを示すフラグ（変動パターン受信フラグ）がセットされたか否か確認する。変動パターン受信フラグは、コマンド解析処理にて、変動パターン指定の演出制御コマンドが受信されたことが確認された場合にセットされる。変動パターン受信フラグがセットされていれば、表示制御プロセスフラグの値をリーチ予告処理に対応した値にする。
【０１０１】
リーチ予告処理（ステップＳ８０１）：リーチ予告演出を行うか否か、及び、リーチ予告を行うことに決定した場合におけるリーチ予告演出の内容を決定する。決定したら、表示制御プロセスフラグの値を全図柄変動開始処理に対応した値にする。
【０１０２】
全図柄変動開始処理（ステップＳ８０２）：左中右図柄の変動が開始されるように制御する。そして、表示制御プロセスフラグの値を図柄変動中処理に対応した値にする。
【０１０３】
図柄変動中処理（ステップＳ８０３）：変動パターンを構成する各変動状態（変動速度）の切替えタイミングを制御するとともに、変動時間の終了を監視する。また、左右図柄の停止制御を行う。処理を終えると、表示制御プロセスフラグの値を全図柄停止待ち処理に対応した値にする。
【０１０４】
全図柄停止待ち設定処理（ステップＳ８０４）：変動時間の終了時に、全図柄停止を指示する演出制御コマンドを受信していたら、図柄の変動を停止し停止図柄（確定図柄）を表示する制御を行う。そして、大当り表示態様とする場合には表示制御プロセスフラグの値を大当り表示処理に対応した値にし、はずれとする場合には表示制御プロセスフラグの値を変動パターンコマンド受信待ち処理に対応した値にする。
【０１０５】
大当り表示処理（ステップＳ８０５）：変動時間の終了後、確変大当り表示又は通常大当り表示の制御を行う。表示期間が終了すると、表示制御プロセスフラグの値を大当り遊技中処理に対応した値にする。
【０１０６】
大当り遊技中処理（ステップＳ８０６）：大当り遊技中の制御を行う。例えば、大入賞口開放前表示や大入賞口開放時表示の演出制御コマンドを受信したら、ラウンド数の表示制御等を行う。大当り遊技中の制御を終えると、表示制御プロセスフラグの値を変動パターンコマンド受信待ち処理に対応した値にする。
【０１０７】
図１２は、変動パターンテーブル毎に設定されているプロセスデータの一構成例を示す説明図である。プロセスデータは、プロセスタイマ設定値と演出制御実行テーブルの組合せが複数集まったデータで構成されている。各演出制御実行テーブルには、それぞれ、可変表示演出９等の表示制御の変動パターンを構成する各変動態様が記載されている表示制御実行データと、ランプ・ＬＥＤ等の表示制御の変動パターンを構成する各変動態様が記載されているランプ制御実行データと、スピーカ２７等の音声出力制御の変動パターンを構成する各変動態様が記載されている音制御実行データとが含まれている。また、プロセスタイマ設定値には、その変動態様での変動時間が設定されている。演出制御用ＣＰＵ１０１は、プロセスデータを参照し、プロセスタイマ設定値に設定されている時間だけ演出制御実行テーブルに設定されている変動態様で図柄を変動表示させたり、発光体を点灯／消灯させたり、スピーカ２７から音声出力させたりする制御を行う。
【０１０８】
図１２に示すプロセスデータは、演出制御基板１００におけるＲＯＭに格納されており、全図柄変動開始処理（ステップＳ８０２）にて、使用テーブルとして選択された変動パターンテーブルに設定されているプロセスデータに基づく可変表示装置６、ランプ・ＬＥＤ２４及びスピーカ２０Ｌ，２０Ｒの制御が開始され、図柄変動中処理（ステップＳ８０３）にて、制御実行データに応じた制御が順次実行される。なお、プロセスデータは、各変動パターンのそれぞれに応じて用意されている。
【０１０９】
図１３は、遊技演出で使用される動画像データのデータ構造の一例を示す説明図である。この動画像データは、本例では、演出制御基板１００が備えるＲＯＭに格納されている。遊技演出で使用される動画像データは、本例では、ＭＰＥＧ２と呼ばれる符号化技術によりデータ圧縮された状態で演出制御基板１００が備えるＣＧＲＯＭ８３に格納されている。
【０１１０】
本例では、動画像データに基づく動画像演出が複数種類予め用意されている。すなわち、複数種類の動画像データが予め用意されてＣＧＲＯＭ８３に格納されている。なお、この例では、大当り遊技演出時に使用される動画像データ、リーチ演出時に使用される動画像データなど、使用される演出毎に区別されてＣＧＲＯＭ８３に格納されている。そして、例えば動画像演出を実行するときに、例えば乱数などを利用して使用する動画像データが選択され、選択された動画像データに基づく動画像演出が実行される。
【０１１１】
図１３に示すように、動画像データは、シーケンスと呼ばれるストリームデータによって構成される。シーケンスは、画像の大きさを示す情報などのシーケンス全体に関連する情報が含まれているシーケンスヘッダで始まり、シーケンスエンドで終了する。このシーケンスは、例えば、動画像による１単位の遊技演出を実現するためのビデオプログラム全体の符号化データによって構成されている。すなわち、本例では、動画像による遊技演出の種類毎に予めシーケンスが用意され、動画像による遊技演出を実行するための動画像データは、１つのシーケンスによって構成されている。シーケンスは、ＭＰＥＧ２機能拡張情報と、少なくとも１つのＧＯＰ（Ｇｒｏｕｐ　Ｏｆ　Ｐｉｃｔｕｒｅ）とを含む。シーケンスに含まれているＭＰＥＧ２機能拡張情報は、ＭＰＥＧ２に準拠した符号化データであることを示す情報などの各種の情報を含む。
【０１１２】
各ＧＯＰは、ＧＯＰヘッダと、Ｉピクチャ、Ｐピクチャ、Ｂピクチャのうち少なくとも１つのピクチャとを含む。ここで、Ｉピクチャは、フレーム内符号化によって符号化されているピクチャである。Ｐピクチャは、過去のフレームのみを用いて前方向の動き補償予測を行うピクチャである。Ｂピクチャは、過去及び未来の両方のフレームを用いて双方向の動き補償予測を行うピクチャである。
【０１１３】
各ピクチャは、ピクチャヘッダと、ＭＰＥＧ２機能拡張情報と、少なくとも１つのスライスとを含む。ピクチャヘッダには、Ｉピクチャ、Ｐピクチャ、Ｂピクチャのいずれかを識別するための情報や、各ピクチャの表示順序を指定する情報などが含まれている。ピクチャに含まれているＭＰＥＧ２機能拡張情報には、例えば、フレーム構造やフィールド構造を設定するための情報などが含まれる。スライスは、分割フレーム内符号化を実現するためにピクチャが細分化された１つの単位を意味する。
【０１１４】
各スライスは、スライス情報と、少なくとも１つのマクロブロックとを含む。スライス情報は、スライス内で使用される符号化情報が含まれている。符号化情報には、例えば、量子化特性を示す情報が該当する。
【０１１５】
各マクロブロックは、マクロブロック情報と、複数のブロックとを含む。１つのマクロブロックには、例えば、４個の輝度信号ブロックと、２個（Ｃｒ信号、Ｃｂ信号各１個）の色差信号ブロックとが含まれる。マクロブロック情報には、マクロブロック単位で符号化制御を行うための情報などが含まれる。各ブロックは、輝度信号、Ｃｒ信号、Ｃｂ信号のいずれかのＤＣＴ（離散コサイン変換）係数データ（離散コサイン変換によって得られる係数群）から構成される。なお、各ブロックは、ＥＯＢ（Ｅｎｄ　Ｏｆ　　Ｂｌｏｃｋ）コードで終了する。
【０１１６】
なお、本例では、各シーケンスは、再生時に表示されるキャラクタなどの表示物体が速い動きをする部分には、キーフレームとして用いられるＩピクチャを多く用いるようにしている。また、各シーケンスは、再生時に表示されるキャラクタなどの表示物体の動きが少ない部分には、ＰピクチャやＢピクチャを多く用いた構成とされている。特に表示物体の動きがない部分や、動きが特に少ない部分には、最もデータ量の少ないＢピクチャを多く用いた構成とされている。
【０１１７】
上記のように、表示物体の動きが速い部分にはキーフレームデータ（例えばＩピクチャデータ）を多く用いて動画像データを構成しているので、動きの速い物体が表示される動画像によって演出を行う場合であっても、情報の欠落がほとんどない良好な画像品質の画像を復号化によって得ることができ、そのような良質の画像によって動画像演出を行うことができる。よって、表示物体の動きが速い部分の画像品質を向上させることができる。
【０１１８】
また、上記のように、表示物体の動きが遅い部分には前方向予測符号化フレームデータ（例えばＰピクチャデータ）や双方向予測符号化フレームデータ（例えばＢピクチャデータ）を多く用いて動画像データを構成しているので、画像品質を劣化させることなく、動画像データのデータ量を削減することができる。このような効果は、データ圧縮率が向上するので、動画像データによって再生される動画像における表示物体の動きが速い部分が少ないほど著しい。
【０１１９】
つまり、上記のように、表示物体の動きが速い部分にはキーフレームデータを多く用い、表示物体の動きが遅い部分には前方向予測符号化フレームデータや双方向予測符号化フレームデータを多く用いるようにして動画像データを作成しているので、全体としての画像品質を向上させることができるとともに、動画像データのデータ総量を低減させることができるようになる。
【０１２０】
次に、演出制御基板１００に搭載されているＧＣＬ８１の機能について説明する。ＧＣＬ８１は、演出制御用ＣＰＵ１０１からの指示に従って、動画像データを用いた動画像による各種の演出を実行する機能を有している。
【０１２１】
図１４は、ＧＣＬ８１が実行する動画像表示領域設定処理の例を示すフローチャートである。動画像表示領域設定処理は、例えば、動画像データにもとづく動画像による遊技演出が開始されるときに実行される。本例では、シーケンスによる一連の動画像演出が開始される毎に、動画像表示領域設定処理が実行されるものとする。動画像表示領域設定処理において、ＧＣＬ８１は、まず、ＣＧＲＯＭ８６に格納されている演出に使用する動画像データ（シーケンス）に領域指定データが設定されているか否かを確認する（ステップＳ２８１）。領域指定データは、例えば、各シーケンスにおけるシーケンスヘッダのあとのＭＰＥＧ２機能拡張情報に含まれている。従って、ＧＣＬ８１は、演出に使用するシーケンスのＭＰＥＧ２機能拡張情報を確認することで、領域指定データが設定されているか否かを判定することができる。
【０１２２】
演出に使用する動画像データに領域指定データが設定されていた場合には、ＧＣＬ８１は、領域指定データに従って動画像表示領域を設定する（ステップＳ２８２）。つまり、領域指定データには、その領域指定データが設定されているシーケンスにもとづく動画像の表示を行う動画像表示領域を特定するため情報が含まれている。なお、動画像表示領域については、あとで詳しく説明する。
【０１２３】
図１５は、ＧＣＬ８１が実行する動画像表示領域解除処理の例を示すフローチャートである。動画像表示領域の設定を解除するための処理は、例えば、動画像データにもとづく動画像による遊技演出を終了するときに実行される。本例では、動画像表示領域解除処理において、シーケンスによる一連の動画像演出を終了することを確認したときに、設定されている動画像表示領域を解除する処理が実行されるものとする。動画像表示領域解除処理において、ＧＣＬ８１は、まず、ＣＧＲＯＭ８６に格納されている演出に使用されている動画像データ（シーケンス）において順次読み出されているデータが、シーケンスエンドであるか否かを確認する（ステップＳ２８５）。シーケンスエンドであることを確認すると、ＧＣＬ８１は、シーケンスによる一連の動画像演出が終了したものと判断して、動画像表示領域が設定されている場合には、その設定を解除する（ステップＳ２８６）。具体的には、例えば、上述したステップＳ２８２にてセットされる動画像表示領域の設定中であることを示すフラグをオフ状態とする。この例では、上述したステップＳ２８２にて、動画像表示領域の設定中であることを示すフラグのセットと、動画像表示領域の範囲の指定がなされる。
【０１２４】
図１６は、ＧＣＬ８１が実行する復号化処理の例を示すフローチャートである。復号化処理において、ＧＣＬ８１は、まず、後述するフェードインフラグ、フェードアウトフラグ、及び静止表示フラグがいずれもオンでなければ（ステップＳ２０１のＮ）、ＣＧＲＯＭ８６に格納されている演出に使用する動画像データ（シーケンス）からピクチャを示すピクチャデータを読み出す（ステップＳ２０２）。ピクチャデータは、動画像データにて配列されている順番に従って再生することができるような順番で読み出される。なお、再生される順番と復号化される順番は必ずしも一致しない。例えば、Ｂピクチャは、その後に配されているＩピクチャ又はＰピクチャを復号化したあとに復号化される。
【０１２５】
読み出したピクチャデータが静止表示対象ピクチャであれば（ステップＳ２０３のＹ）、ＧＣＬ８１は、静止表示フラグをオン状態とし（ステップＳ２０４）、静止表示時間タイマをスタートさせる（ステップＳ２０５）。
【０１２６】
静止表示対象ピクチャとは、所定期間継続して静止表示させるピクチャとして予め定められているピクチャを意味する。静止表示対象ピクチャであるか否かを示す情報は、各ピクチャのＭＰＥＧ２機能拡張情報に格納されている。従って、ＧＣＬ８１は、各ピクチャのＭＰＥＧ２機能拡張情報を確認することで、読み出したピクチャが静止表示対象ピクチャであるか否かを判定することができる。
【０１２７】
静止表示フラグは、例えば、演出制御基板１００が備えるＲＡＭ１０３の所定の領域に設けられており、静止表示処理（図１６，図１８に示す処理において、静止表示フラグがオン状態とされてからオフ状態とされるまでの一連の処理）の実行中であるか否かの判定に用いられるフラグである。
【０１２８】
静止表示時間タイマは、静止表示対象ピクチャによる静止表示処理を実行する期間（例えば３秒、５秒などの期間）を計測するためのタイマである。例えば、静止表示時間タイマは、カウンタを含む演出制御用ＣＰＵ３０１によって構成される。具体的には、演出制御用ＣＰＵ３０１は、所定期間（例えば２ｍｓ）毎にカウントアップしていくカウンタのカウント値を監視し、計測開始後に所定回数（例えば３秒を計測する場合には１５００回）カウントされたことを確認したときに計測時間が経過したものと判定することで、静止表示時間を計測する。
【０１２９】
ステップＳ２０２にて読み出したピクチャデータがフェードイン対象ピクチャであれば（ステップＳ２０６のＹ）、ＧＣＬ８１は、フェードインフラグをオン状態とし（ステップＳ２０７）、動画圧縮・伸張部８９を制御して読み出したピクチャデータを復号化して（ステップＳ２０８）、復号化したピクチャデータをフレーム単位で所定のフェードイン対象静止画像格納エリアに格納する（ステップＳ２０９）。なお、復号化を行うときには、動画圧縮・伸張部８９は、対象となるピクチャデータがＩピクチャデータであるか、Ｐピクチャデータであるか、Ｂピクチャデータであるかに応じた復号化処理を実行する。
【０１３０】
フェードイン対象ピクチャとは、フェードイン処理に用いるピクチャとして予め定められているピクチャを意味する。フェードイン対象ピクチャであるか否かを示す情報は、各ピクチャのＭＰＥＧ２機能拡張情報に格納されている。従って、ＧＣＬ８１は、各ピクチャのＭＰＥＧ２機能拡張情報を確認することで、読み出したピクチャがフェードイン対象ピクチャであるか否かを判定することができる。
【０１３１】
フェードインフラグは、例えば、演出制御基板１００が備えるＲＡＭ１０３の所定の領域に設けられており、フェードイン処理を実行するか否かの判定に用いられるフラグである。
【０１３２】
フェードイン対象静止画像格納エリアは、フェードイン対象静止画像であるフェードイン対象ピクチャをフレーム単位で格納するために、例えばＳＤＲＡＭ８４の所定の領域に設けられている。
【０１３３】
ステップＳ２０２にて読み出したピクチャデータがフェードアウト対象ピクチャであれば（ステップＳ２１０のＹ）、ＧＣＬ８１は、フェードアウトフラグをオン状態とし（ステップＳ２１１）、動画圧縮・伸張部８９を制御して読み出したピクチャデータを復号化して（ステップＳ２１２）、復号化したピクチャデータをフレーム単位で所定のフェードアウト対象静止画像格納エリアに格納する（ステップＳ２１３）。
【０１３４】
フェードアウト対象ピクチャとは、フェードアウト処理に用いるピクチャとして予め定められているピクチャを意味する。フェードアウト対象ピクチャであるか否かを示す情報は、各ピクチャのＭＰＥＧ２機能拡張情報に格納されている。従って、ＧＣＬ８１は、各ピクチャのＭＰＥＧ２機能拡張情報を確認することで、読み出したピクチャがフェードアウト対象ピクチャであるか否かを判定することができる。
【０１３５】
フェードアウトフラグは、例えば、演出制御基板１００が備えるＲＡＭ１０３の所定の領域に設けられており、フェードアウト処理を実行するか否かの判定に用いられるフラグである。
【０１３６】
フェードアウト対象静止画像格納エリアは、フェードアウト対象静止画像であるフェードアウト対象ピクチャをフレーム単位で格納するために、例えばＳＤＲＡＭ８４の所定の領域に設けられている。
【０１３７】
ステップＳ２０２にて読み出したピクチャデータが合成表示対象ピクチャであれば（ステップＳ２１４のＹ）、ＧＣＬ８１は、連続復号化処理を実行する（ステップＳ２１５）。連続復号化処理については、後で詳しく説明する。
【０１３８】
ステップＳ２０２にて読み出したピクチャデータが、フェードイン対象ピクチャ、フェードアウト対象ピクチャ及び合成表示対象ピクチャの何れでもなければ（ステップＳ２１４のＮ）、ＧＣＬ８１は、動画圧縮・伸張部８９を制御して読み出したピクチャデータを復号化し（ステップＳ２１６）、展開領域指定ポインタが指す画像メモリの展開領域に、復号化したピクチャデータをフレーム単位で展開する（ステップＳ２１７）。そして、ＧＣＬ８１は、展開領域指定ポインタが次に使用される展開領域を指すようにしておくために、展開領域指定ポインタの値を更新する（ステップＳ２１８）。
【０１３９】
なお、画像メモリは、再生に用いる画像データをフレーム単位で展開するために、例えばＳＤＲＡＭ８４の所定の領域に設けられている。画像メモリには、フレーム単位で画像データを展開するための展開領域が複数設けられている。展開領域指定ポインタは、例えばＳＤＲＡＭ８４の所定の領域に設けられ、復号化した画像データを展開する展開領域を指すポインタである。例えば、画像メモリに展開領域０から展開領域１１までの１２個の展開領域が設けられている場合には、展開領域指定ポインタは、０〜１１までの範囲の値をとる。そして、ステップＳ２１８にて、展開領域指定ポインタの値が、復号化された画像データが再生される順番で画像メモリに展開されるような値に更新される。そして、ＧＣＬ８１によって、次回の復号化処理のステップＳ２１７にて、展開領域指定ポインタの値と同一の値が設定されている展開領域が画像データを展開する領域として選択される。
【０１４０】
具体的には、例えばＩピクチャ、Ｂ１ピクチャ、Ｂ２ピクチャ、Ｐピクチャの順番で再生される場合には、Ｉピクチャ、Ｐピクチャ、Ｂ１ピクチャ、Ｂ２ピクチャの順番で復号化されることになる。この場合、Ｉピクチャの画像データを画像メモリに展開したあと展開領域指定ポインタの値を３加算し、加算後の展開領域指定ポインタが指す展開領域にＰピクチャの画像データを展開したあと展開領域指定ポインタの値を２減算し、減算後の展開領域指定ポインタが指す展開領域にＢ１ピクチャの画像データを展開したあと展開領域指定ポインタの値を１加算し、加算後の展開領域指定ポインタが指す展開領域にＢ２ピクチャの画像データを展開したあと展開領域指定ポインタの値を次に復号化されるピクチャに応じて更新するようにすればよい。なお、展開領域指定ポインタの値が１２となった場合には０に戻される。
【０１４１】
図１７は、ＧＣＬ８１が実行する連続復号化処理（ステップＳ２１５）の例を示すフローチャートである。連続復号化処理では、１つの合成画像を生成するための複数のピクチャを連続して復号化する処理が実行される。連続復号化処理において、ＧＣＬ８１は、先ず、合成表示実行残数を１加算し（ステップＳ２２１）、本例では処理数を３に設定する（ステップＳ２２２）。なお、合成表示実行残数や処理数は、本例では、演出制御基板１００が備えるＲＡＭ１０３の所定の領域に記憶される。合成表示実行残数は、合成表示を行うための復号化処理がなされているが、合成表示が未だ完了していない画像の残数を示している。また、処理数は、本例では、合成画像の生成に用いられる画像の数に一致している。
【０１４２】
次いで、ＧＣＬ８１は、動画圧縮・伸張部８９を制御して読み出したピクチャデータを復号化して（ステップＳ２２３）、読み出したピクチャについての奥行表示位置情報を指定し（ステップＳ２２４）、復号化したピクチャデータをフレーム単位で所定の合成対象画像保存領域に格納する（ステップＳ２２５）。
【０１４３】
合成表示対象ピクチャとは、合成画像を生成するための合成対象画像に予め定められているピクチャを意味する。合成表示対象ピクチャであるか否かを示す情報は、各ピクチャのＭＰＥＧ２機能拡張情報に格納されている。従って、ＧＣＬ８１は、各ピクチャのＭＰＥＧ２機能拡張情報を確認することで、読み出したピクチャが合成表示対象ピクチャであるか否かを判定することができる。なお、本例では、互いに合成される複数のピクチャのうち、最初に読み出される合成表示対象ピクチャのＭＰＥＧ２機能拡張情報にだけ、合成表示対象ピクチャであることを示す情報と、合成に用いられるピクチャの数を示す情報が格納される。そして、ステップＳ２２２にて設定される処理数は、ＭＰＥＧ２機能拡張情報に格納されている合成に用いられるピクチャの数を示す情報に応じて設定される。
【０１４４】
奥行表示位置情報は、ＬＣＤ６に表示される際の奥行方向の座標を示す情報であり、合成に用いられる各ピクチャのＭＰＥＧ２機能拡張情報に格納されている。従って、ＧＣＬ８１は、各ピクチャのＭＰＥＧ２機能拡張情報を確認することで、読み出したピクチャについての奥行表示位置情報を取得することができる。ステップＳ２２４及びステップＳ２２５の処理では、復号化されたピクチャデータと、そのピクチャデータについての奥行表示位置情報とが、所定の合成対象画像保存領域に格納される。なお、奥行方向の座標とは、ＬＣＤ６の表示画面の前後方向（前面側から背面側に向かう方向）に座標軸をとった場合におけるその座標軸上の値を意味し、例えば背面側に行くほど値が大きくなるように設定される。よって、合成画像が生成されるときには、より小さい値の奥行表示位置情報を有する画像が前面側に合成され、より大きい値の奥行表示位置情報を有する画像が背面側に合成される。また、奥行表示位置情報の値が大きくて背面側に合成される画像よりも奥行表示位置情報の値が小さくて前面側に合成される画像の方が優位であると言えることから、より小さい値の奥行表示位置情報を有する画像を「優先度が高い画像」ということがあり、より大きい値の奥行表示位置情報を有する画像を「優先度の低い画像」ということがある。
【０１４５】
本例では、合成に用いられるピクチャ数分の合成対象画像保存領域を有する合成対象画像保存領域群が設けられている。合成対象画像保存領域群は、例えばＳＤＲＡＭ８４の所定の領域に所定数用意されている。本例では、各合成対象画像保存領域群に、処理数に対応する３つの合成対象画像保存領域が含まれている。ステップＳ２２５では、画像群保存領域指定ポインタが指す合成対象画像保存領域群中の現在の処理数に対応する合成対象画像保存領域に、復号化されたピクチャデータ等が格納される。
【０１４６】
画像群保存領域指定ポインタは、例えばＳＤＲＡＭ８４の所定の領域に設けられ、１つの合成画像の生成に用いられる一群の合成対象画像データを格納するための合成対象画像保存領域群を指すポインタである。例えば、合成対象画像保存領域群が保存領域群０から保存領域群１１までの１２個設けられている場合には、画像群保存領域指定ポインタは、０〜１１までの範囲の値をとる。そして、後述するステップＳ２２９にて、画像群保存領域指定ポインタの値が、合成に用いられる次の一群のピクチャデータを格納する合成対象画像保存領域群を指す値に更新される。そして、ＧＣＬ８１によって、次回の連続復号化処理にて、更新後の画像群保存領域指定ポインタの値と同一の値が設定されている合成対象画像保存領域群が、一群のピクチャデータを格納する領域として選択される。
【０１４７】
ステップＳ２２５の処理を終えると、ＧＣＬ８１は、処理数を１減算し（ステップＳ２２６）、処理数が０でなければ（ステップＳ２２７のＮ）、使用する動画像データから次のピクチャデータを読み出す（ステップＳ２２８）。そして、ステップＳ２２３〜ステップＳ２２７の処理を再度実行する。本例では、ステップＳ２２３〜ステップＳ２２７の処理が３回繰り返し実行され、１つの合成画像を生成するための３つのピクチャデータが読み出されて、復号化された合成対象画像データと奥行表示位置情報とが、合成対象画像保存領域群中の各合成対象画像保存領域にそれぞれ格納される。
【０１４８】
ステップＳ２２７の確認処理にて、処理数が０となっていれば（ステップＳ２２７のＹ）、ＧＣＬ８１は、次回の連続復号化処理で使用される合成対象画像保存領域群を指す値に変更するために、画像群保存領域指定ポインタの値を更新する（ステップＳ２２９）。
【０１４９】
上記のようにして、１枚の合成画像を生成するために用いられる複数の合成対象画像が、それぞれの奥行表示位置情報とともに、合成対象画像保存領域群中の各合成対象画像保存領域に格納される。
【０１５０】
図１８は、ＧＣＬ８１が実行する動画再生処理の例を示すフローチャートである。動画再生処理において、ＧＣＬ８１は、フェードインフラグがオン状態であれば（ステップＳ２３１のＹ）、後述するフェードイン処理を実行する（ステップＳ２３２）。また、フェードアウトフラグがオン状態であれば（ステップＳ２３３のＹ）、後述するフェードアウト処理を実行する（ステップＳ２３４）。
【０１５１】
フェードインフラグ及びフェードアウトフラグがともにオン状態でなければ（ステップＳ２３３のＮ）、ＧＣＬ８１は、合成表示実行残数の値を確認し、合成表示実行残数が０でなければ（ステップＳ２３５のＹ）、処理数を設定する（ステップＳ２３６）。この例では、処理数として、上述したステップＳ２２２で設定される処理数と同数の値が設定される。従って、例えば、所定の合成対象画像保存領域にステップＳ２２２で設定された処理数を格納しておき、後述する半透明化処理に用いられるピクチャデータが格納されている合成対象画像保存領域を参照して処理数を設定するようにすればよい。
【０１５２】
処理数を設定すると、ＧＣＬ８１は、後述する半透明化処理を実行し（ステップＳ２３７）、処理数を１減算する（ステップＳ２３８）。そして、処理数が０になるまで、半透明化処理を繰り返し実行する（ステップＳ２３７〜ステップＳ２３９）。処理数が０になると、ＧＣＬ８１は、半透明化処理によって生成され合成実行画像格納領域に格納されている複数の合成実行画像データを合成した合成画像データを生成する（ステップＳ２４０）。なお、合成する際には、各合成実行画像データにおける奥行表示位置情報に基づいて、各合成実行画像を前面側とするか背面側とするかを決定する。そして、ＧＣＬ８１は、生成した合成画像データにもとづく合成画像をＬＣＤ６に表示するとともに（ステップＳ２４１）、合成表示実行残数を１減算し（ステップＳ２４２）、後述する合成対象画像群指定ポインタの値を更新する（ステップＳ２４３）。なお、本例では、ステップＳ２４１にて画像を表示する場合、ＧＣＬ８１は、後述するステップＳ２４４と同様の判定処理を実行し、動画像表示領域が設定されていると判定した場合には、上述したステップＳ２４５と同様にして、設定されている動画像表示領域に画像を表示する。
【０１５３】
ステップＳ２３５にて合成表示実行残数が０であれば（ステップＳ２３５のＮ）、ＧＣＬ８１は、動画像表示領域が設定されているか否かを確認する（ステップＳ２４４）。具体的には、動画像表示領域が設定されているか否かを示すフラグの状態を確認する。動画像表示領域が設定されていれば、ＧＣＬ８１は、再生領域指定ポインタが指す画像メモリの展開領域に展開されているフレームデータを用いて、ＬＣＤ６の表示領域内に設定されている動画像表示領域に画像を表示する（ステップＳ２４５）。つまり、動画像データを用いた動画像による演出が開始されるときに上述したステップＳ２８２にて動画像表示領域が設定されている場合には、その設定された動画像表示領域に、再生領域指定ポインタが指す画像メモリの展開領域に展開されているフレームデータに基づく画像を表示する。
【０１５４】
ステップＳ２４４にて動画像表示領域が設定されていなければ、ＧＣＬ８１は、再生領域指定ポインタが指す画像メモリの展開領域に展開されているフレームデータを用いてＬＣＤ６に画像を表示する（ステップＳ２４６）。
【０１５５】
次いで、ＧＣＬ８１は、静止表示フラグがオン状態であれば（ステップＳ２４７のＹ）、静止表示対象ピクチャを用いた静止表示処理中であるので、静止表示時間タイマがタイムアウトしているか否かを確認する（ステップＳ２４８）。静止表示時間タイマがタイムアウトしていた場合には、ＧＣＬ８１は、静止表示フラグをオフ状態とし（ステップＳ２４９）、再生領域指定ポインタが次に使用される展開領域を指すようにしておくために、再生領域指定ポインタの値を更新する（ステップＳ２５０）。なお、静止表示時間タイマがタイムアウトしていなければ、静止表示処理を継続して実行するために、再生領域指定ポインタの値は更新しない。
【０１５６】
再生領域指定ポインタは、例えばＳＤＲＡＭ８４の所定の領域に設けられ、動画再生を行うために次に用いられる画像データが展開されている展開領域を指すポインタである。例えば、画像メモリに展開領域０から展開領域１１までの１２個の展開領域が設けられている場合には、再生領域指定ポインタは、０〜１１までの範囲の値をとり、ステップＳ２５０にて再生領域指定ポインタの値が１加算されるように構成される。なお、再生領域指定ポインタの値が１２となった場合には０に戻される。そして、ＧＣＬ８１によって、次回の動画再生処理のステップＳ２４５又はステップＳ２４６にて、再生領域指定ポインタの値と同一の値が設定されている展開領域が、動画再生のために次に使用する画像データが格納されている領域として選択される。
【０１５７】
なお、上述した動画再生処理は、例えば、上述した復号化処理のあとに続けて実行される。ただし、画像データが復号化される順番と再生される順番が異なるので、動画再生処理よりも復号化処理が少なくとも数回分先行して実行される必要がある。この復号化処理及び動画再生処理は、動画像による遊技演出が行われるときに呼び出されて繰り返し実行される。復号化処理及び動画再生処理が繰り返し実行されることで、ＬＣＤ６の画面上に、圧縮されている動画像データに基づく動画像が表示され、遊技演出が実行される。
【０１５８】
次に、演出制御手段によるフェードイン処理について説明する。図１９は、ＧＣＬ８１が実行するフェードイン処理の例を示すフローチャートである。フェードイン処理は、例えば、静止画像による演出と動画像による演出とが切り替わるときに実行される。ここでは、フェードイン処理として、静止画像による演出が終了して動画像による演出に切り替わる際に、フェードイン対象静止画像の透明度（透過度）を徐々に低下させていくようにして、フェードイン対象静止画像が徐々にはっきりと表れるようにするための処理が実行される。なお、フェードイン対象静止画像には、例えば、演出に用いられる動画像のうち最初に表示される画像とされる。この場合、シーケンスにおいて最初に再生されるピクチャがフェードイン対象静止画像とされる。
【０１５９】
フェードイン処理において、ＧＣＬ８１は、フェードイン対象静止画像格納エリアに格納されているフェードイン対象静止画像の画像データを読み出すとともに、中間画像として予め定められている画像データを読み出す（ステップＳ２５１）。中間画像には、例えば、青や白などの単一色の背景画像が用いられる。
【０１６０】
次いで、ＧＣＬ８１は、透明化演算処理を実行することによってフェードイン画像を作成する（ステップＳ２５２）。透明化演算処理として、本例では、図２０に示すような演算を行う。透明化演算処理では、フェードイン対象静止画像における各ピクセルデータ（各ピクセルの表示色を特定するためのＲ，Ｇ，Ｂデータ）のそれぞれについて、表示位置が同一となる中間画像における各ピクセルデータを用いた演算処理が行われる。具体的には、透明化演算処理は、図２０に示すように、該当する中間画像のピクセルデータが示す値とフェードイン対象静止画像のピクセルデータが示す値との差を９９で割り、その値とＮとを乗算した値にフェードイン対象静止画像のピクセルデータが示す値を加算する。透明化演算処理によって得られた各ピクセルデータは、フェードイン画像のピクセルデータとして用いられる。例えば、ある表示位置における中間画像のピクセルデータが（Ｒ，Ｇ，Ｂ＝２４０，１６０，１６０）で、同じ位置のフェードイン対象静止画像のピクセルデータが（Ｒ，Ｇ，Ｂ＝１８０，１３０，１３０）であり、Ｎ＝３３であった場合には、その位置のフェードイン画像のピクセルデータは（Ｒ，Ｇ，Ｂ＝２００，１４０，１４０）となる。なお、演算結果が整数にならない場合には、小数点以下を切り捨てるなどの処理を行うことによって整数になるようにすればよい。
【０１６１】
なお、図２０に示す「Ｎ」は、フェードイン画像の透明度を特定するための値であり、本例では１００段階に透明度を異ならせることができるように、０から９９までの整数をとるようにしている。この例では、「Ｎ」が「０」であるときにフェードイン画像がフェードイン対象静止画像と同一となり（すなわち、透明度が０％となる）、「Ｎ」が「９９」であるときにフェードイン画像が中間画像と同一となる（すなわち、透明度が１００％となる）。さらに具体的には、この例では、透明化演算処理に用いる図２０に示す数式の「Ｎ」を「９９」から「０」にかけて順次減算していくと、演算結果により得られるフェードイン画像は、中間画像がフェードイン対象静止画像に徐々に近づいていくようになる。なお、この例では、透明度を１００段階にしているが、他の複数段階とするようにしてもよい。その場合、「Ｎ」の取り得る値を変更（２００段階であれは０から１９９を取るようにすればよい）するとともに、その値に合わせて図２０に示す分母の「９９」を変更（２００段階であれば「１９９」に変更すればよい）するようにすればよい。
【０１６２】
また、図２０に示す透明化演算処理に用いられる数式は、フェードイン対象静止画像のピクセルデータが示す値が中間画像のピクセルデータが示す値よりも小さい場合に用いられる式であり、フェードイン対象静止画像のピクセルデータが示す値が中間画像のピクセルデータが示す値よりも大きい場合には、図２０に示す数式の「＋」を「−」にするとともに、分数で表されている部分の分子の各項を入れ替えた数式を用いるようにすればよい。すなわち、該当するフェードイン対象静止画像のピクセルデータが示す値と中間画像のピクセルデータが示す値との差を９９で割り、その値とＮとを乗算した値をフェードイン対象静止画像のピクセルデータが示す値から減算するようにすればよい。
【０１６３】
この例では、フェードイン処理での透明化演算処理を、図２０に示した数式等を用いることで行うようにしているが、他の演算処理を行うようにしてもよい。図２０に示す数式を用いると、Ｎの値を小さくしていくに連れて、中間画像から直線的にフェードイン対象静止画像に近づいていくようなフェードイン画像が得られるようになるが、例えば、中間画像から曲線的にフェードイン対象静止画像に近づいていくようなフェードイン画像が得られるような数式を用いるようにしてもよい。
【０１６４】
透明化演算処理によってフェードイン画像を作成すると、ＧＣＬ８１は、作成したフェードイン画像をＬＣＤ６に表示させる処理を実行する（ステップＳ２５３）。なお、本例では、ステップＳ２５３にて画像を表示する場合、ＧＣＬ８１は、上述したステップＳ２４４と同様の判定処理を実行し、動画像表示領域が設定されていると判定した場合には、上述したステップＳ２４５と同様にして、設定されている動画像表示領域に画像を表示する。
【０１６５】
そして、ＧＣＬ８１は、図２０に示す数式のＮの値を確認し（ステップＳ２５４）、Ｎの値が０でなければ、次のタイミングで実行されるフェードイン処理によってフェードイン対象静止画像の透明度をさらに低下させるためにＮの値を１減算した値に更新する（ステップＳ２５５）。一方、Ｎの値が０となっていれば、全く透明化されていない完全な状態でフェードイン対象静止画像がはっきりと表示された状態となっており、そのフェードイン対象静止画像を徐々に出現させていく一連のフェードイン処理が終了しているので、次回の一連のフェードイン処理を実行するときのために、Ｎの値を初期値である「９９」に更新しておく（ステップＳ２５６）。さらに、一連のフェードイン処理が終了したので、フェードインフラグをオフ状態とする（ステップＳ２５７）。
【０１６６】
なお、上述したフェードイン処理は、例えば、演出制御プロセス処理内における図柄変動中処理にてコールされる。フェードイン処理が開始される所定のタイミングで最初にコールされ、その後は、所定期間毎（例えば、１０ｍｓ毎）に所定回数（例えば、初回を入れて１００回）繰り返しコールされる。繰り返しコールされる度に減算されたＮの値を用いた透明化演算処理が実行されるので、フェードイン処理が繰り返し実行されることで、フェードイン対象静止画像の透明度が徐々に低下していくフェードイン表示がなされることになる。例えば、可変表示演出中に動画像による演出を開始するときに、フェードイン処理によって、フェードイン対象静止画像とされている動画像における最初の画像が徐々に出現してくるような表示がなされる。そして、最終的に、フェードイン対象静止画像が、透明度の低下していない完全な状態で表示される。その後、フェードイン対象静止画像を最初の画像とする動画像の再生が実行される。なお、繰り返し実行される一連のフェードイン処理を「フェードイン処理」という場合がある。
【０１６７】
図２１は、フェードイン処理が実行されているときにおけるＬＣＤ６の表示状態の例を示す説明図である。ここでは、大当り遊技状態中の遊技演出において、フェードイン処理が実行された場合を例に説明する。また、この例では、フェードイン対象静止画像として、動画像演出に用いられる動画像における最初の画像である人物の画像が用いられ、中間画像として、例えば白の単一色の画像が用いられる。
【０１６８】
フェードイン画像による演出を実行する場合には、静止画像による表示演出が終了したあと、図２１（Ａ）に示すようにＬＣＤ６に中間画像が表示し、フェードイン処理が開始される。フェードイン処理が開始されると、中間画像から図２１（Ｂ）に示すようにフェードイン対象静止画像が現れてきて、図２１（Ｃ）に示すように徐々にはっきりと表示されていくフェードイン画像が表示される。そして、最終的には、図２１（Ｄ）に示すように、フェードイン画像として、全く透明化されていない完全に不透明化された状態で人物の画像が表示される。なお、図２１（Ａ）に示すフェードイン画像は上述した透明化演算処理がＮ＝９９で実行されたことにより得られた画像であり、図２１（Ｂ）は透明化演算処理が例えばＮ＝６６で実行されたことにより得られた画像であり、図２１（Ｃ）は透明化演算処理が例えばＮ＝３３で実行されたことにより得られた画像であり、図２１（Ｄ）は透明化演算処理が例えばＮ＝０で実行されたことにより得られた画像である。
【０１６９】
図２１（Ｄ）に示す不透明化された状態で人物の画像が表示されてフェードイン処理が終了すると、本例では、最終的に表示されているフェードイン画像を初期画像とする動画像による演出が開始される。すなわち、例えば、不透明化された状態で表示されている人物が動き出して各種の動作を行うような動画像がＬＣＤ６に表示される。
【０１７０】
上記のように、動画像データに含まれている１フレーム分の画像データを用いてフェードイン表示を行う構成としたことで、動画像データのデータ量を増大させることなく、フェードイン表示を行うことができる。よって、動画像データの格納領域の必要容量を抑えることができる。また、動画像データのデータ量が増大してしまうようなことがないため、フェードイン表示の実行期間を短くする必要がなくなり、演出期間が十分に確保されているフェードイン表示を行うことができる。よって、フェードイン表示を円滑に行うことができる。
【０１７１】
また、上述したように、フェードイン処理にて、所定の中間画像を介して段階的に画像を出現させるように構成されているので、徐々に画像が現れてくる様子を容易に視認することができるようなフェードイン表示を行うことができる。
【０１７２】
次に、演出制御手段によるフェードアウト処理について説明する。図２２は、ＧＣＬ８１が実行するフェードアウト処理の例を示すフローチャートである。フェードアウト処理は、例えば、静止画像による演出と動画像による演出とが切り替わるときに実行される。ここでは、フェードアウト処理として、動画像による演出が終了して静止画像による演出に切り替わる際に、フェードアウト対象静止画像の透明度を徐々に高めていくようにして、フェードアウト対象静止画像が徐々に消失していくようにするための処理が実行される。なお、フェードアウト対象静止画像には、例えば、演出に用いられる動画像のうち最後に表示される画像とされる。この場合、シーケンスにおいて最後に再生されるピクチャがフェードアウト対象静止画像とされる。
【０１７３】
フェードアウト処理において、ＧＣＬ８１は、フェードアウト対象静止画像格納エリアに格納されているフェードアウト対象静止画像の画像データを読み出すとともに、中間画像として予め定められている画像データを読み出す（ステップＳ２６１）。中間画像には、例えば、青や白などの単一色の背景画像が用いられる。
【０１７４】
次いで、ＧＣＬ８１は、透明化演算処理を実行することによってフェードアウト画像を作成する（ステップＳ２６２）。透明化演算処理として、本例では、図２３に示すような演算を行う。透明化演算処理では、フェードアウト対象静止画像における各ピクセルデータ（各ピクセルの表示色を特定するためのＲ，Ｇ，Ｂデータ）のそれぞれについて、表示位置が同一となる中間画像における各ピクセルデータを用いた演算処理が行われる。具体的には、透明化演算処理は、図２３に示すように、該当する中間画像のピクセルデータが示す値とフェードアウト対象静止画像のピクセルデータが示す値との差を９９で割り、その値とＭとを乗算した値にフェードアウト対象静止画像のピクセルデータが示す値を加算する。透明化演算処理によって得られた各ピクセルデータは、フェードアウト画像のピクセルデータとして用いられる。例えば、ある表示位置における中間画像のピクセルデータが（Ｒ，Ｇ，Ｂ＝２４０，１６０，１６０）で、同じ位置のフェードアウト対象静止画像のピクセルデータが（Ｒ，Ｇ，Ｂ＝１８０，１３０，１３０）であり、Ｍ＝６６であった場合には、その位置のフェードアウト画像のピクセルデータは（Ｒ，Ｇ，Ｂ＝２２０，１５０，１５０）となる。なお、演算結果が整数にならない場合には、小数点以下を切り捨てるなどの処理を行うことによって整数になるようにすればよい。
【０１７５】
なお、図２３に示す「Ｍ」は、フェードアウト画像の透明度を特定するための値であり、本例では１００段階に透明度を異ならせることができるように、０から９９までの整数をとるようにしている。この例では、「Ｍ」が「０」であるときにフェードアウト画像がフェードアウト対象静止画像と同一となり（すなわち、透明度が０％となる）、「Ｍ」が「９９」であるときにフェードアウト画像が中間画像と同一となる（すなわち、透明度が１００％となる）。さらに具体的には、この例では、透明化演算処理に用いる図２３に示す数式の「Ｍ」を「０」から「９９」にかけて順次加算していくと、演算結果により得られるフェードアウト画像は、フェードアウト対象静止画像が中間画像に徐々に近づいていくようになる。なお、この例では、透明度を１００段階にしているが、他の複数段階とするようにしてもよい。その場合、「Ｍ」の取り得る値を変更（２００段階であれは０から１９９を取るようにすればよい）するとともに、その値に合わせて図２３に示す分母の「９９」を変更（２００段階であれば「１９９」に変更すればよい）するようにすればよい。
【０１７６】
また、図２３に示す透明化演算処理に用いられる数式は、フェードアウト対象静止画像のピクセルデータが示す値が中間画像のピクセルデータが示す値よりも小さい場合に用いられる式であり、フェードアウト対象静止画像のピクセルデータが示す値が中間画像のピクセルデータが示す値よりも大きい場合には、図２３に示す数式の「＋」を「−」にするとともに、分数で表されている部分の分子の各項を入れ替えた数式を用いるようにすればよい。すなわち、該当するフェードアウト対象静止画像のピクセルデータが示す値と中間画像のピクセルデータが示す値との差を９９で割り、その値とＭとを乗算した値をフェードアウト対象静止画像のピクセルデータが示す値から減算するようにすればよい。
【０１７７】
この例では、フェードアウト処理での透明化演算処理を、図２３に示した数式等を用いることで行うようにしているが、他の演算処理を行うようにしてもよい。図２３に示す数式を用いると、Ｍの値を大きくしていくに連れて、フェードアウト対象静止画像から直線的に中間画像に近づいていくようなフェードアウト画像が得られるようになるが、例えば、フェードアウト対象静止画像から曲線的に中間画像に近づいていくようなフェードアウト画像が得られるような数式を用いるようにしてもよい。
【０１７８】
透明化演算処理によってフェードアウト画像を作成すると、ＧＣＬ８１は、作成したフェードアウト画像をＬＣＤ６に表示させる処理を実行する（ステップＳ２６３）。なお、本例では、ステップＳ２６３にて画像を表示する場合、ＧＣＬ８１は、上述したステップＳ２４４と同様の判定処理を実行し、動画像表示領域が設定されていると判定した場合には、上述したステップＳ２４５と同様にして、設定されている動画像表示領域に画像を表示する。
【０１７９】
そして、ＧＣＬ８１は、図２３に示す数式のＭの値を確認し（ステップＳ２６４）、Ｍの値が９９でなければ、次のタイミングで実行されるフェードアウト処理によってフェードアウト対象静止画像の透明度をさらに高めるためにＭの値を１加算した値に更新する（ステップＳ２６５）。一方、Ｍの値が９９となっていれば、完全に透明化されてフェードアウト対象静止画像による画像が消失した状態となっており、そのフェードアウト対象静止画像を徐々に消失させていく一連のフェードアウト処理が終了しているので、次回の一連のフェードアウト処理を実行するときのために、Ｍの値を初期値である「０」に更新しておく（ステップＳ２６６）。さらに、一連のフェードアウト処理が終了したので、フェードアウトフラグをオフ状態とする（ステップＳ２６７）。
【０１８０】
なお、上述したフェードアウト処理は、例えば、演出制御プロセス処理内における図柄変動中処理にてコールされる。フェードアウト処理が開始される所定のタイミングで最初にコールされ、その後は、所定期間毎（例えば、１０ｍｓ毎）に所定回数（例えば、初回を入れて１００回）繰り返しコールされる。繰り返しコールされる度に加算されたＭの値を用いた透明化演算処理が実行されるので、フェードアウト処理が繰り返し実行されることで、フェードアウト対象静止画像の透明度が徐々に高められていくフェードアウト表示がなされることになる。例えば、可変表示演出中に動画像による演出が実行され、その動画像による演出が終了するときに、フェードアウト処理によって、フェードアウト対象静止画像とされている動画像における最後の画像が徐々に消失しているような表示がなされる。そして、最終的に、フェードアウト対象静止画像が完全に透明化され、中間画像が表示された状態となる。すると、動画像による遊技演出が終了し、例えば、静止画像による演出が開始される。なお、繰り返し実行される一連のフェードアウト処理を「フェードアウト処理」という場合がある。
【０１８１】
図２４は、フェードアウト処理が実行されているときにおけるＬＣＤ６の表示状態の例を示す説明図である。ここでは、大当り遊技状態中の遊技演出において、フェードアウト処理が実行された場合を例に説明する。また、この例では、フェードアウト対象静止画像として、動画像演出に用いられる動画像における最後の画像である人物の画像が用いられ、中間画像として、例えば白の単一色の画像が用いられる。
【０１８２】
フェードアウト画像による演出を実行する場合には、図２４（Ａ）に示すように、再生されていた動画像の最後の画像が表示されたときに、フェードアウト処理が開始される。フェードアウト処理が開始すると、図２４（Ｂ）に示すようにフェードアウト対象静止画像が徐々にぼやけてきて、図２４（Ｃ）に示すように徐々に視認しにくい状態となっていく表示状態とされていくようなフェードアウト画像が表示される。そして、最終的には、図２４（Ｄ）に示すように、フェードアウト画像として、完全に透明化されて人物の画像が消失した状態の画像であって、中間画像と同一の画像が表示される。なお、図２４（Ａ）に示すフェードアウト画像は上述した透明化演算処理がＭ＝０で実行されたことにより得られた画像であり、図２４（Ｂ）は透明化演算処理が例えばＭ＝３３で実行されたことにより得られた画像であり、図２４（Ｃ）は透明化演算処理が例えばＭ＝６６で実行されたことにより得られた画像であり、図２４（Ｄ）は透明化演算処理が例えばＭ＝９９で実行されたことにより得られた画像である。
【０１８３】
図２４（Ｄ）に示す中間画像と同一のフェードアウト画像が表示されてフェードアウト処理が終了すると、例えば静止画像による演出など、その後の演出が開始される。なお、フェードアウト処理が終了したことによって演出が終了するようにしてもよい。
【０１８４】
上記のように、動画像データに含まれている１フレーム分の画像データを用いてフェードアウト表示を行う構成としたことで、動画像データのデータ量を増大させることなく、フェードアウト表示を行うことができる。よって、動画像データの格納領域の必要容量を抑えることができる。また、動画像データのデータ量が増大してしまうようなことがないため、フェードアウト表示の実行期間を短くする必要がなくなり、演出期間が十分に確保されているフェードアウト表示を行うことができる。よって、フェードアウト表示を円滑に行うことができる。
【０１８５】
また、上述したように、フェードアウト処理にて、段階的に画像を消滅させて所定の中間画像を表示させるように構成されているので、徐々に画像が消失していく様子を容易に視認することができるようなフェードアウト表示を行うことができる。
【０１８６】
次に、演出制御手段による半透明化処理について説明する。図２５は、ＧＣＬ８１が実行する半透明化処理の例を示すフローチャートである。半透明化処理は、動画像データとして予め用意されている合成対象画像から合成画像を生成するための合成実行画像を生成するための処理であり、合成対象画像の透明度（透過度）を奥行表示位置情報に基づいて低下させ、奥行表示位置情報に応じた透明度とした合成実行画像を生成するための処理が実行される。
【０１８７】
半透明化処理において、ＧＣＬ８１は、合成対象画像群指定ポインタが指す合成対象画像保存領域群の中の、処理数に応じた合成対象画像保存領域から合成対象画像の画像データを読み出すとともに、予め定められている背景画像の画像データを読み出す（ステップＳ２７１）。背景画像には、例えば、青や白などの単一色の画像が用いられる。
【０１８８】
合成対象画像群指定ポインタは、例えばＳＤＲＡＭ８４の所定の領域に設けられ、今回の半透明化処理にて用いられる複数の合成対象画像が格納された合成対象画像保存領域群を指すポインタである。例えば、合成対象画像保存領域群０から合成対象画像保存領域群１１までの１２個の合成対象画像保存領域群が設けられている場合には、合成対象画像群指定ポインタは、０〜１１までの範囲の値をとり、上述したステップＳ２４３にて合成対象画像群指定ポインタの値が１加算されるように構成される。なお、合成対象画像群指定ポインタの値が１２となった場合には０に戻される。
【０１８９】
次いで、ＧＣＬ８１は、合成対象画像データを読み出した合成対象画像保存領域に格納されている奥行表示位置情報が示す値を、半透明化演算処理で用いられる数式の変数Ｐ（図２６参照）に設定し（ステップＳ２７２）、透明化演算処理を実行することによって合成実行画像を生成する（ステップＳ２７３）。次いで、ＧＣＬ８１は、生成した合成実行画像の画像データを、該当する奥行表示位置情報とともに、合成実行画像格納領域に格納する（ステップＳ２７４）。合成実行画像格納領域は、１つの合成画像を生成するための複数の合成実行画像がそれぞれ格納される格納領域であり、例えばＳＤＲＡＭ８４の所定の領域に設けられている。ステップＳ２７４では、合成実行画像格納領域中の処理数に対応した格納領域に、生成した合成実行画像データと奥行表示位置情報とが格納される。
【０１９０】
半透明化処理にて実行される透明化演算処理として、本例では、図２６に示すような演算を行う。この透明化演算処理では、合成対象画像における各ピクセルデータ（各ピクセルの表示色を特定するためのＲ，Ｇ，Ｂデータ）のそれぞれについて、表示位置が同一となる背景画像における各ピクセルデータを用いた演算処理が行われる。具体的には、透明化演算処理は、図２６に示すように、該当する背景画像のピクセルデータが示す値と合成対象画像のピクセルデータが示す値との差を９９で割り、その値とＰとを乗算した値に合成対象画像のピクセルデータが示す値を加算する。透明化演算処理によって得られた各ピクセルデータは、合成実行画像のピクセルデータとして用いられる。例えば、ある表示位置における背景画像のピクセルデータが（Ｒ，Ｇ，Ｂ＝２４０，１６０，１６０）で、同じ位置の合成対象画像のピクセルデータが（Ｒ，Ｇ，Ｂ＝１８０，１３０，１３０）であり、Ｐ＝３３であった場合には、その位置の合成実行画像のピクセルデータは（Ｒ，Ｇ，Ｂ＝２００，１４０，１４０）となる。なお、演算結果が整数にならない場合には、小数点以下を切り捨てるなどの処理を行うことによって整数になるようにすればよい。
【０１９１】
なお、図２６に示す「Ｐ」は、合成実行画像の透明度を特定するための値であり、本例では１００段階に透明度を異ならせることができるように、０から９９までの整数をとるようにしている。本例では、合成実行画像の透明度を異ならせることによって、奥行き感が出るようにしている。従って、奥行表示位置情報が示す値によって、「Ｐ」の値すなわち合成実行画像の透明度が決定される。例えば、奥行表示位置情報が示す値が２０であればＰが２０に設定されるようにすればよい。この例では、「Ｐ」が「０」であるときに合成実行画像が合成対象画像と同一となり（すなわち、透明度が０％となる）、「Ｐ」が「９９」であるときに合成実行画像が背景画像と同一となる（すなわち、透明度が１００％となる）。なお、この例では、透明度を１００段階にしているが、他の複数段階とするようにしてもよい。その場合、「Ｐ」の取り得る値を変更（２００段階であれは０から１９９を取るようにすればよい）するとともに、その値に合わせて図２６に示す分母の「９９」を変更（２００段階であれば「１９９」に変更すればよい）するようにすればよい。
【０１９２】
また、図２６に示す透明化演算処理に用いられる数式は、合成対象画像のピクセルデータが示す値が背景画像のピクセルデータが示す値よりも小さい場合に用いられる式であり、合成対象画像のピクセルデータが示す値が背景画像のピクセルデータが示す値よりも大きい場合には、図２６に示す数式の「＋」を「−」にするとともに、分数で表されている部分の分子の各項を入れ替えた数式を用いるようにすればよい。すなわち、該当する合成対象画像のピクセルデータが示す値と背景画像のピクセルデータが示す値との差を９９で割り、その値とＰとを乗算した値を合成対象画像のピクセルデータが示す値から減算するようにすればよい。
【０１９３】
この例では、半透明化処理での透明化演算処理を、図２６に示した数式等を用いることで行うようにしているが、他の演算処理を行うようにしてもよい。図２６に示す数式を用いると、Ｐの値を小さくしていくに連れて、背景画像から直線的に合成対象画像に近づいていくような合成実行画像が得られるようになるが、例えば、背景画像から曲線的に合成対象画像に近づいていくような合成実行画像が得られるような数式を用いるようにしてもよい。
【０１９４】
図２７は、合成対象画像と合成実行画像とを示す説明図である。図２８は、合成画像が表示されているときのＬＣＤ６の表示状態の例を示す説明図である。
【０１９５】
図２７（Ａ）〜図２７（Ｃ）は、合成画像の生成に用いられる合成対象画像が示されている。例えば、ステップＳ２３７〜ステップＳ２３９のループ処理にて、奥行表示位置情報が示す値に基づく半透明化処理が繰り返し３回実行されることによって、図２７（Ａ）〜図２７（Ｃ）に示す各合成対象画像から、図２７（ａ）〜図２７（ｃ）に示す合成実行画像がそれぞれ生成される。
【０１９６】
この例では、図２７（Ａ）に示す合成対象画像の奥行表示位置情報が示す値が最も小さく（例えば「０」）、図２７（Ｃ）に示す合成対象画像の奥行表示位置情報が示す値が最も大きい（例えば「５０」）。すなわち、図２７（Ａ）に示す合成対象画像の優先度が最も高く、図２７（Ｃ）に示す合成対象画像の優先度が最も低くなるように、各合成対象画像の奥行表示位置情報が設定されている。
【０１９７】
図２７（Ａ）に示す合成対象画像は奥行表示位置情報が示す値が「０」であるので、半透明化処理によって、図２７（Ａ）に示す合成対象画像から同一画像の図２７（ａ）に示す合成実行画像が生成される。つまり、図２７（ａ）に示す合成対象画像は、透明度が低下されていない図２７（Ａ）に示す合成対象画像と同一の画像となっている。
【０１９８】
また、半透明化処理によって、図２７（Ｂ）に示す合成対象画像から透明度が低下された図２７（ｂ）に示す合成実行画像が生成され、図２７（Ｃ）に示す合成対象画像から透明度がさらに低下された図２７（ｃ）に示す合成実行画像が生成される。
【０１９９】
そして、図２７（ａ）〜図２７（ｃ）に示す各合成実行画像が、奥行表示位置情報が示す値に応じた優先度に基づいて合成されることによって、図２８（Ａ）に示す合成画像が生成される。この優先度は、奥行表示位置情報が示す値が小さいほど高く、奥行表示位置情報が示す値が大きいほど低い。すなわち、奥行表示位置情報が示す値は、ＬＣＤ６の表示画面における奥行方向の座標軸を示す値とされており、最も手前の表示位置とするときに「０」とされ、奥側に行けば行くほど大きい値をとるように設定される。
【０２００】
上記のような複数回の半透明化処理を繰り返し実行する動画再生処理が繰り返し実行されることで、合成画像による動画演出が行われる。具体的には、例えば、動画像演出にて、図２８（Ａ）に示す合成画像が表示されたあと、図２８（Ｂ）や図２８（Ｃ）に示す合成画像が表示されて、視点が徐々に左側にずれていくような動画像表示が実行される。
【０２０１】
なお、上記の例では、説明を簡単にするために、３本の木が前後方向に並んでいる合成画像を用いた動画像による遊技演出を行う例について説明したが、どのような動画像による遊技演出であってもよく、例えば、立体的な空間内で花びらや木の葉が散っていくような場面を表示する動画像を用いるようにしても、立体的な空間内で雨が降っているような場面を表示する動画像を用いるようにしてもよい。
【０２０２】
上記のように、表示制御手段が、奥行表示位置情報にもとづいて動画像データ内の合成対象画像データに半透明化処理を施して合成実行画像データを生成し、生成した合成実行画像データを合成した合成画像データを用いて動画像による遊技演出を実行する構成としたので、優先度の低い前後方向の後側に表示される画像の透過度と、手前側に表示される優先度の高い画像の透過度とを異ならせることで奥行感の高められた映像を表示することができ、立体感がより高められた臨場感のある演出表示を行うことができる。特に、上記の実施の形態では、優先度の低い前後方向の後側に表示される画像の透過度を、手前側に表示される優先度の高い画像の透過度よりも高くして、後側に合成される画像の透明度を高めるようにしているので、奥行感を強調させた現実の空間に近い画像を得ることができる。よって、優先度の低い前後方向の後側に表示される画像の透過度と、手前側に表示される優先度の高い画像の透過度の差を調整することによって、現実の空間を見ているかのようなリアルな映像を表示することができ、さらに立体感が高められた臨場感のある演出表示を行うことができる。
【０２０３】
本例の遊技機では、上述した復号化処理と動画再生処理とが実行されることで、静止表示対象ピクチャを用いて静止表示処理が実行される。すなわち、動画像データに含まれている予め定められた１フレーム分の画像データにもとづく画像表示が繰り返し実行されることで、同一画像が所定期間継続して表示されることになり、動画像データに含まれている画像データを用いた静止表示が実現される。
【０２０４】
静止表示対象ピクチャは、例えば、演出に用いられる動画像において、表示画像の変化が所定期間ないような場面を示す画像とされる。静止表示対象ピクチャによる静止表示対象画像が所定期間表示されると、静止表示対象ピクチャのあとに設けられている各ピクチャによって動画表示が実行される。
【０２０５】
図２９は、静止表示対象ピクチャを用いて静止表示処理が実行されるときのＬＣＤ６の表示状態の例を示す説明図である。ここでは、大当り遊技状態中の遊技演出において、静止表示対象ピクチャによる静止表示対象画像の静止表示処理が実行された場合を例に説明する。また、この例では、静止表示対象画像として、動画像演出における表示画像の変化が所定期間ない場面を構成する人物の画像が用いられる。
【０２０６】
静止表示対象画像による演出を実行する場合には、図２９（Ａ）及び図２９（Ｂ）に示すように例えば人物が動作している動画象が表示されたあと、図２９（Ｃ）に示すように動作していた人物が停止した画像が表示される。なお、図２９（Ｃ）に示す画像は、静止表示対象画像である。
【０２０７】
図２９（Ｃ）に示すように静止表示対象画像がＬＣＤ６に一旦表示されると、図２９（Ｄ）及び図２９（Ｅ）に示すように、静止表示時間タイマがタイムアウトするまで静止表示対象画像が繰り返し継続して表示される。そして、予め定められている所定期間が経過して静止表示時間タイマがタイムアウトすると、図２９（Ｆ）及び図２９（Ｇ）に示すように静止していた人物が動き出して各種の動作を行うような動画像がＬＣＤ６に表示され、ＬＣＤ６にて動画像演出が実行される。
【０２０８】
上記のように、動画像データに含まれている１フレーム分の画像データを用いて表示画像を所定期間静止させる静止表示を行う構成としたことで、動画像演出中に表示画面の変化がない場面が存在する場合に、そのような場面を表示させるための動画像データを用意しておく必要をなくすことができるので、静止表示を行うための動画像データを削減することができ、動画像データ全体のデータ量を低減させることができる。よって、動画像データの格納領域の必要容量を抑えることができる。
【０２０９】
次に、動画像表示領域について説明する。図３０は、ステップＳ２８２にて設定される動画像表示領域の例を示す説明図である。図３０に示すように、本例では、動画像表示領域は、ＬＣＤ６の表示領域の特別図柄表示領域内に設けられている。なお、特別図柄表示領域は、特別図柄の可変表示演出が実行される表示領域を意味する。この例では、特別図柄の可変表示演出が実行されている特別図柄表示領域中の動画像表示領域にて、動画像による演出表示が実行される。従って、例えば、可変表示あるいは停止表示している特別図柄の前面側に、動画像による表示キャラクタなどが表示される。
【０２１０】
図３１は、動画像演出を実行しているときの動画像表示領域の表示状態の例を示す説明図である。ここでは、特別図柄表示領域にてリーチ表示がなされたあとのリーチ演出において、動画像による演出表示が実行される場合を例に説明する。動画像による演出表示を実行するか否かは、例えば、演出制御用ＣＰＵ１０１が、演出制御プロセス処理において、変動パターンコマンドを受信したときに、受信した変動パターンコマンドの内容に応じて決定する。この決定は、例えば、乱数や、抽出された乱数と比較される動画演出決定用の判定値が設定されたテーブルなどを用いて行うようにすればよい。また、この場合、例えば、変動パターンコマンドが大当りとすることを示している場合やリーチとすることを示している場合には、高確率で動画像による演出表示を行うことに決定されるように、動画演出決定用の判定値が設定されたテーブルを複数用意するようにしてもよい。さらに、動画像による演出表示を実行することに決定した場合には、演出制御用ＣＰＵ１０１は、例えば使用するシーケンスを選択するなどして演出態様を決定するとともに、動画像演出の実行開始タイミングを決定する。
【０２１１】
本例では、特別図柄の可変表示演出において、左右図柄が例えば「７」で揃ってリーチとなり、その後に変動表示されている中図柄が低速変動となって、中図柄の停止位置に「６」が近づいてきたときに動画像によるリーチ演出が開始されるものとする。また、本例では、動画像によるリーチ演出が終了したあと、大当り表示がなされるものとする。
【０２１２】
先ず、動画像によるリーチ演出を開始するときに、ＧＣＬ８１によって、リーチ演出に用いることに決定されている動画像データ中の領域指定データにもとづいて、動画像表示領域が設定される（ステップＳ２８２参照）。例えば、領域指定データにもとづいて、上述した図３０に示されているように、中図柄の可変表示領域に動画像表示領域が設定される。
【０２１３】
この例では、特別図柄表示領域にて、左右図柄が「７」で仮停止されてリーチ表示がなされ、最終停止図柄である中図柄が低速変動され、特別図柄表示領域中の動画像表示領域に中図柄「６」が表示されているときに（図３１（Ａ））、動画像データに基づく動画像演出が開始される。動画像演出が開始されると、ＧＣＬ８１によって、特別図柄表示領域中の動画像表示領域に表示されていた特別図柄の画像（図３１（Ａ））から、動画像演出における最初の画像に切り替えられる。本例では、動画像演出における最初の画像として、例えば図３１（Ｂ）に示すような「６」を模したキャラクタ画像が用いられる。すなわち、動画像表示領域にて、図３１（Ａ）に示すようなリーチ表示中に低速変動されてきた中図柄の「６」を示す画像が、図３１（Ｂ）に示すような「６」を模したキャラクタを示す画像に切り替えられる。
【０２１４】
次いで、ＧＣＬ８１によって、動画像演出における最初の画像から、動画像データに基づく動画演出が実行される。例えば、図３１（Ｃ）に示すような「７」を模したキャラクタが現れ、「６」を模したキャラクタを動画像表示領域から追い出していく映像が動画再生される。そして、「６」を模したキャラクタが動画像表示領域から完全に消失し、「６」を模したキャラクタを追い出した「７」を模したキャラクタが、動画像表示領域の中心位置（例えば特別図柄表示領域における図柄停止位置）に移動していくような映像が動画再生される。動画像演出において、最終的に、図３１（Ｄ）に示すような、「７」を模したキャラクタが動画像表示領域の中心位置で正面を向いたような画像が表示される。
【０２１５】
動画像データに基づく動画像のうちの最終画像（例えば図３１（Ｄ）に示す画像）が表示され、動画像によるリーチ演出が終了すると、ＧＣＬ８１によって、特別図柄表示領域中の動画像表示領域に表示されている動画像演出における最後の画像（例えば図３１（Ｄ）に示す画像）から、所定の特別図柄を示す画像に切り替えられる。本例では、動画像演出における最後の画像から切り替えられる特別図柄を示す画像として、例えば図３１（Ｅ）に示すような「７」の中図柄を示す画像が用いられる。すなわち、動画像表示領域にて、図３１（Ｄ）に示すような「７」を模したキャラクタの画像が、図３１（Ｅ）に示すような仮停止状態の中図柄としての「７」を示す画像に切り替えられる。そして、この例では、左中右図柄が「７」で確定表示され、大当り表示とされる。その後、大当り遊技に移行する。
【０２１６】
上記のように、特別図柄が表示される特別図柄表示領域の一部に、動画像を表示するための動画像表示領域を設定し、動画像表示領域に、キャラクタ等が登場する動画像の動画再生を行う構成としたので、動画像による演出を目立つようにすることができ、たとえ特別図柄が表示されていたとしても、遊技者の注意を動画像による演出に向けさせることができるようになる。このように、遊技者の注意を動画像に引き付けさせることができるので、動画像による演出を有効なものとすることができ、動画像による演出を用いてリーチ演出などの様々な報知を行うことができる。
【０２１７】
また、上述したように、特別図柄表示領域の表示態様がリーチ表示態様となったあと最後に停止する図柄が低速変動状態となっているときに、特別図柄表示領域における動画像表示領域の表示を動画像による演出表示に切り替え、特別図柄表示領域の表示態様がリーチ表示態様となっている期間中に、リーチ演出として、動画像表示領域にてキャラクタ画像を用いた動画演出を実行するようにしたので、たとえ特別図柄が表示されていたとしても、動画像によるリーチ演出を目立つようにすることができる。よって、動画像によるリーチ演出を有効なものとすることができる。
【０２１８】
図３２は、可変表示装置６に表示される表示態様選択画面の例を示す説明図である。表示態様選択画面は、例えば、リーチ演出などの動画像による演出が開始されるとき（所定の表示態様選択受付タイミングとなったとき）に、ＧＣＬ８１の制御によって表示される。表示態様選択画面は、演出制御手段が遊技者に提示する複数の選択肢から一の選択肢を選択させたり、遊技者に提示する情報を選択するか否かを遊技者に決定させたりして、選択結果または決定結果に応じて、可変表示装置６、演出用のランプ・ＬＥＤ２４およびスピーカ２０Ｌ，２０Ｒの全部または一部を用いて実行される演出である。
【０２１９】
この例では、リーチ演出などの動画像による演出が開始されるときに、図３２に示すように、２種類の表示サイズ（例えば「通常」と「拡大」）が可変表示装置６に表示される。そのとき、特別図柄が表示されている図柄表示エリアは可変表示部１７０において右上方に移動しているものとする。また、可変表示部１７０には、選択有効期間を報知するための選択有効期間表示領域が表示されている。選択有効期間において遊技者がいずれかを選択すると、選択された方の表示サイズの輝度が上がるとともに、「これでよいですか？」の文字が可変表示部１７０の下方に表示される。また、いずれかが選択された後、他方の選択がなされると他方の輝度が上がるとともに、既に選択されていた方の輝度が元に戻る。また、再度「これでよいですか？」の文字が表示される。そして、選択有効期間が終了すると、最後に選択された表示サイズのみが、例えば可変表示領域の中心部分に表示されるようになる。
【０２２０】
なお、この実施の形態では、可変表示部１７０に選択有効期間表示領域を画像表示するが、例えば「表示サイズを選択して下さい」の表示開始時期（図３２参照）から「これでよいですか？」の表示開始時期までを選択有効期間としてもよい。すなわち、選択有効期間終了時に、「これでよいですか？」の表示を行うようにしてもよい。いずれの方式を採用しても、演出制御手段は、限られた期間においてのみ、人体センサの検出信号を監視する処理を行えばよい。
【０２２１】
例えば選択有効期間が終了したときに、遊技者の選択に応じた表示サイズで動画像による表示演出が開始される。例えば、「通常」の表示サイズが選択されていた場合には、図３３（Ａ）に示すように、動画像データにもとづく通常の表示サイズで動画像が再生される。一方、「拡大」の表示サイズが選択されていた場合には、図３３（Ｂ）に示すように、例えば通常の表示画像の中心部分の所定範囲に表示される部分を拡大させた画像によって、表示キャラクタのサイズが拡大された画像が表示される。すなわち、表示領域の大きさは共通であるが、一方は、表示キャラクタが動画像データにもとづく通常の大きさで表示され、他方は、表示キャラクタが動画像データにもとづく通常の大きさよりも拡大された状態で表示される。
【０２２２】
この場合、例えば、動画像データにもとづく各画面の一部のピクセルデータを用いて表示サイズを拡大させた画像データを生成し、その生成した画像データを用いて動画像を表示するようにしてもよい。また、通常の表示サイズで動画表示するための動画像データと、拡大サイズで動画表示するための動画像データとを別個に備えるようにしてもよい。
【０２２３】
なお、表示サイズの選択は、遊技者がタッチ部１６１ａ，１６２ｂに指等を当てることによってなされるが、具体的には、上述したように、発光部６５ａ，６５ｂと受光部６６ａ，６６ｂとによる人体センサの検出信号にもとづいて、ＧＣＬ８１がいずれの選択肢が選択されたのかを判断する。
【０２２４】
上記のように、人体センサを設けるようにして、遊技者からの指示に従って表示態様を異ならせる構成としたことで、遊技演出の種類を豊富なものとして、遊技演出の内容を多様化させることができるので、遊技の興趣を向上させることができるようになる。また、遊技者の意思によって表示態様を異ならせることができるので、各遊技者の好みに合った表示態様の動画像を表示させることができるようになる。
【０２２５】
なお、上記の実施の形態では、遊技者に選択させる表示態様として、表示サイズを例にしていたが、他の表示態様を遊技者に選択させるようにしてもよい。例えば、表示画面の視点を選択させる（例えば、通常の画面が正面から見た状態とし、上方から見た状態、下方から見た状態、右から見た状態、あるいは左から見た状態の何れかを選択させる）ようにしたり、色の明るさや濃さを選択させるようにしてもよい。人体センサを用いて、フェードイン表示を行うか否か、フェードアウト表示を行うか否か、静止表示を行うか否か、合成画像による動画演出を行うか否か、あるいは、動画像表示領域での演出表示を行うか否かを遊技者に選択させるようにしてもよい。さらに、人体センサを用いて、フェードイン表示を行うか否か、フェードアウト表示を行うか否か、静止表示を行うか否か、合成画像による動画演出を行うか否か、動画像表示領域での演出表示を行うか否かのうちの任意の組み合わせを遊技者に選択させるようにしてもよい。上記のように構成すれば、遊技演出の種類をさらに豊富なものとし、遊技演出の内容をさらに多様化させることができるので、遊技の興趣をより向上させることができるようになる。また、遊技者の意思によって演出や表示の内容を異ならせることができるので、各遊技者の好みに合った態様の動画像により演出を行うことができるようになる。
【０２２６】
また、上記の実施の形態では、動画像によるリーチ演出を開始するときに表示態様を選択するとしていたが、表示態様の選択を他のタイミングで行うようにしてもよい。例えば、デモンストレーション画面を表示しているときに、将来実行される遊技演出での表示態様をあらかじめ選択させておくようにしてもよい。また、演出の実行途中に選択させるようにしてもよい。
【０２２７】
また、上記の実施の形態では、遊技者にリーチ演出での表示態様を選択させる構成としていたが、大当り演出や予告演出などの他の演出における表示態様を選択させるようにしてもよい。
【０２２８】
なお、上述した実施の形態では、特別図柄の表示態様がリーチ表示態様となったあと最後に停止する図柄が低速変動状態となっているときに、動画像による演出を開始する構成としていたが、特別図柄の表示態様がリーチ表示態様となったあとであれば、どのようなタイミングで動画像による動画演出を開始するようにしてもよい。すなわち、特別図柄の表示態様がリーチ表示態様となったことにもとづくタイミングであれば、どのようなタイミングで動画像による演出への切替条件が成立するようにしてもよい。
【０２２９】
また、上述した実施の形態では、動画像表示領域が、特別図柄表示領域における中図柄の表示領域に設定される構成としていたが、特別図柄表示領域内の領域であれば、例えば特別図柄表示領域における中図柄及び右図柄の表示領域など、どのような領域に設定されるようにしてもよい。また、動画像データによって設定される動画像表示領域が異なる構成としてもよい。この場合、動画像データ内に設定される領域指定データを異ならせるようにすればよい。
【０２３０】
また、上述した実施の形態では、特別図柄の表示状態がリーチ状態となっているときに、動画像表示領域での動画像による演出表示が実行されるものとして説明していたが、特別図柄の表示状態が図柄変動中処理における他の状態となっているときに実行されるようにしてもよい。例えば、リーチや大当りとなることを予告報知するための予告演出として、動画像データに基づく動画像演出を行うようにしてもよい。また、図柄変動中処理以外の処理が実行されているときの演出として、動画像データに基づく動画像演出を行うようにしてもよい。例えば、大当り遊技状態における大当りラウンド中や大当りラウンド間に実行される大当り演出として、動画像データに基づく動画像演出を行うようにしてもよい。この場合、可変表示ゲームの実行中には限らないが、演出において特別図柄が表示されているときに、動画像表示領域にて動画像データに基づく動画像演出が実行されることが好ましい。
【０２３１】
なお、上述した実施の形態において、動画像による演出に用いる各合成画像を生成するための合成対象画像データを１つの動画像データ内に含ませる構成としていたが、合成する画像枚数と同数の動画像データを用いて合成画像を生成するようにしてもよい。例えば、３枚の画像を合成することで合成画像を生成する場合には、図３４に示すように、手前、中間、奥の３種類の動画像データを予め用意しておき、それぞれの動画像データから読み出した１フレーム分の各画像データを１枚の合成画像を生成するための各合成対象画像とし、その各合成対象画像に基づいて生成した各合成実行画像を合成して合成画像を生成し、順次合成した合成画像を用いて動画像による遊技演出を実行するようにすればよい。なお、手前、中間、奥の３種類の動画像データは、それぞれ、例えば合成される順番にピクチャデータが配列されて構成されている。そして、例えば図３４に示す各動画像データにおけるそれぞれのピクチャ１を用いて合成画像が生成され、その後、ピクチャ２、ピクチャ３・・・の順番でピクチャデータが読み出されて合成画像が生成されて表示されるようにすることで、動画像による演出が実行されるようにすればよい。
【０２３２】
具体的には、合成する画像枚数と同数の動画像データを用いて合成画像を生成する構成とする場合には、上述した復号化処理におけるステップＳ２０２にて、図３４に示すシーケンス（前）のピクチャデータを読み出し、ステップＳ２２８にて処理数に応じたシーケンス（中）又はシーケンス（奥）のピクチャデータを読み出すようにすればよい。例えば、処理数が「２」のときにシーケンス（中）のピクチャデータを読み出し、処理数が「１」のときにシーケンス（奥）のピクチャデータを読み出すようにすればよい。そして、動画再生処理では、読み出した各ピクチャデータにもとづいて、上述したステップＳ２３７〜ステップＳ２３９にて合成実行画像データが生成され、ステップＳ２４０にて合成画像データが生成される。上記の復号化処理や動画再生処理を繰り返し実行することで、合成画像による動画像演出が実現される。
【０２３３】
この場合、複数の動画像データに設定されている各画像データが、それぞれ互いに関連性を持った連携画像データとされていてもよい。すなわち、各動画像データに設定されている各動画像データが、合成されたときに前面、中間および背面側の画像によってそれぞれ何らかの関連性のあるまとまった合成画像となるように構成されていてもよい。例えば、各動画像データにおいて、１枚の合成画像を生成するためそれぞれの合成対象画像が、互いに関連性があるように生成されたデータとされていてもよい。例えば、合成画像による演出において「海辺」の様子を示す動画像を用いる場合、手前側に合成される合成実行画像を生成するための動画像データに「水着を着た人間」の様子を示すデータが設定され、中間に合成される合成実行画像を生成するための動画像データに「海」の様子を示すデータが設定され、奥側に合成される合成実行画像を生成するための動画像データに「砂浜」の様子を示すデータが設定されるようにすればよい。このように構成すれば、手前、中間及び奥側の画像全体によって海辺における立体的な風景画像を実現することができるようになり、異なる複数の動画像データを用いて生成された合成画像による動画像を、全体としてまとまりのある画像とすることができる。
【０２３４】
図３５は、連携画像データが合成されることで生成された合成画像の表示状態の例を示す説明図である。図３５には、海辺の様子を示す画像が表されている。図３５（Ａ）には、前後方向の手前側に「水着を着た人間」の様子を示す動画像データが合成され、前後方向の中間に「海」の様子を示す動画像データが合成され、前後方向の奥側に「砂浜」の様子を示す動画像データが合成されることによって生成された合成画像が示されている。そして、図３５（Ｂ），図３５（Ｃ）に示すような合成画像を順次生成するとともに、生成された合成画像に順次更新されていくことで、例えば、「水着を着た人間」が動作を行ったり、海の波が徐々に手前側に押し寄せてくるような動画像による表示が実現される。この場合、各連携画像データは互いに関連性を有しているので、各連携画像データによって表示される各画像が互いに関連性を持った合成画像による動画像演出が実行される。具体的には、例えば、「水着を着た人間」が「砂浜」の砂を握る様子を示す合成画像による動画像演出や、「水着を着た人間」が「海」に浸かる様子を示す合成画像による動画像演出が実行される。
【０２３５】
また、複数の動画像データに設定されている各画像データが、それぞれ互いに関連性を持たない独立画像データとされていてもよい。この場合、例えば、各動画像データにおいて、１枚の合成画像を生成するためそれぞれの合成対象画像が、互いに独立性を有するように生成されるようにすればよい。つまり、独立性を有するような合成画像とすることを意図して、意識的に関連性を持たない画像が前後に合成されて立体的に表示されるように各画像データを設けるようにすればよい。具体的には、例えば、合成画像による演出を行う場合に、手前側に合成される合成実行画像を生成するための動画像データに「亀」の様子を示すデータが設定され、中間に合成される合成実行画像を生成するための動画像データに「飛行機」が飛んでいる様子を示すデータが設定され、奥側に合成される合成実行画像を生成するための動画像データに「滝」の様子を示すデータが設定されるなどのようにして、前後に無関係なキャラクタ等を表示するための画像データがそれぞれ設定されるようにすればよい。このように構成すれば、異なる複数の独立性のある動画像データを用いて生成された合成画像による動画像によって遊技演出を行うことができる。
【０２３６】
図３６は、独立画像データが合成されることで生成された合成画像の表示状態の例を示す説明図である。図３６には、独立性のある複数の物体が表示されている様子を示す画像が表されている。図３６（Ａ）には、前後方向の手前側に「動物」の様子を示す動画像データが合成され、前後方向の中間に「飛行機」の様子を示す動画像データが合成され、前後方向の奥側に「滝の流れ」の様子を示す動画像データが合成されることによって生成された合成画像が示されている。そして、図３６（Ｂ），図３６（Ｃ）に示すような合成画像を順次生成するとともに、生成された合成画像に順次更新されていくことで、例えば、「動物」が画面左側から右側に移動する動作を行ったり、「飛行機」が画面右側から左側に飛行していくような動画像による表示が実現される。この場合、各独立画像データは互いに関連性がない表示物体を表示するように構成されているので、各独立画像データによって表示される各画像は、互いに無関係に独立して動作する複数の物体を含む合成画像とされ、そのような合成画像による動画像演出が実行される。具体的には、例えば、「動物」と「飛行機」が衝突したりするような関連性のある表示は全くなされずに、各表示物体が独立して動作する様子を示す合成画像による動画像演出が実行される。
【０２３７】
また、上記の関連性のある複数の画像を合成した合成画像による遊技演出を実行する場合に、特別図柄の変動表示領域内で行うようにしてもよい。例えば、特別図柄の前面側または背面側で、関連性のある複数の画像を合成した合成画像による遊技演出を実行するようにすればよい。このように構成すれば、奥行方向の奥側に表示される画像の透過度を手前側に表示される画像よりも高くした奥行感の高められた互いに関連性を有する映像を特別図柄の変動表示領域に表示することができ、立体感がより高められた臨場感のある演出表示を行うことができる。
【０２３８】
また、上記の独立性のある複数の画像を合成した合成画像による遊技演出を実行する場合に、特別図柄の変動表示領域内で行うようにしてもよい。例えば、特別図柄の前面側または背面側で、独立性のある複数の画像を合成した合成画像による遊技演出を実行するようにすればよい。このように構成すれば、奥行方向の奥側に表示される画像の透過度を手前側に表示される画像よりも高くした奥行感の高められた互いに関連性を有しない映像を特別図柄の変動表示領域の背面に表示することができ、立体感がより高められた臨場感のある演出表示を行うことができる。
【０２３９】
なお、上述した各実施の形態では、手前、中間及び奥側の３枚の画像を合成して合成画像を生成するようにしていたが、他の数の画像を合成して合成画像を生成するようにしてもよい。例えば、奥側に合成される背景画像と手前側に合成されるキャラクタ等を示す画像との２枚の画像を合成することで合成画像を生成し、その合成画像を用いて動画像による演出を行うようにしてもよい。
【０２４０】
なお、上述した実施の形態では特に言及していないが、上述した合成画像による演出は、例えば、図柄変動中処理中に実行されるようにすればよい。また、リーチや大当りとなることを予告報知するための予告演出、大当り遊技状態における大当りラウンド中や大当りラウンド間に実行される大当り演出等の様々な演出において、上述した合成画像による演出を行うようにしてもよい。
【０２４１】
また、例えば、スーパーリーチと呼ばれる大当り信頼度の高いリーチへの発展時、デモンストレーション画像を表示するときなどに、上述した合成画像による演出を行うようにしてもよい。
【０２４２】
また、上述した実施の形態では、静止画像による演出から動画像による演出に切り替えるときにフェードイン表示を行う構成としていたが、逆に、動画像による演出から静止画像による演出に切り替えるときに、静止画像を徐々に出現させるフェードイン表示を行う構成としてもよい。
【０２４３】
また、上述した実施の形態では、動画像による演出から静止画像による演出に切り替えるときにフェードアウト表示を行う構成としていたが、逆に、静止画像による演出から動画像による演出に切り替えるときに静止画像を徐々に消失させるフェードアウト表示を行う構成としてもよい。
【０２４４】
また、上述した実施の形態では特に言及していないが、上述したフェードイン表示を行ったあとの動画像演出の際に上述した合成画像による演出を実行し、合成画像による演出の終了後にフェードアウト表示を行う構成としてもよい。この場合、合成画像がフェードイン表示されたりフェードアウト表示される演出が行われるようになる。従って、動画像データのデータ量を多大なものとすることなく、多彩な演出を行うことができる。
【０２４５】
また、上述した実施の形態において、１つのピクチャにもとづく静止表示を動画像表示領域にて行うようにしてもよい。この場合、例えば、図３１（Ｂ）に示した画像を示すピクチャを静止対象ピクチャとし、図３１（Ｂ）に示した画像が所定期間静止する静止表示がなされるようにすればよい。上記のように構成すれば、動画像データのデータ量を多大なものとすることなく、動画像表示領域に１つのピクチャを用いた静止表示を行うなどの多彩な演出を行うことができるようになる。
【０２４６】
また、上述したように、動画像データに含まれている１フレーム分の画像データを用いてフェードイン表示を行う構成として動画像データのデータ量を増大させることなくフェードイン表示を行うようにし、かつ、動画像データに含まれている１フレーム分の画像データを用いて表示画像を所定期間静止させる静止表示を行う構成として静止表示を行うための動画像データを削減するようにしたので、動画像データ全体のデータ量を大幅に低減させることができる。
【０２４７】
また、上述したように、動画像データに含まれている１フレーム分の画像データを用いてフェードアウト表示を行う構成として動画像データのデータ量を増大させることなくフェードアウト表示を行うようにし、かつ、動画像データに含まれている１フレーム分の画像データを用いて表示画像を所定期間静止させる静止表示を行う構成として静止表示を行うための動画像データを削減するようにしたので、動画像データ全体のデータ量を大幅に低減させることができる。
【０２４８】
また、上述した実施の形態では、動画像演出中に表示画面の変化がない場面が存在する場合に静止表示対象画像による静止表示を実行する構成としていたが、変化は全くないときに限らず、例えば動画像演出中に表示画面の変化がほとんどないような場合に静止表示対象画像による静止表示を実行するようにしてもよい。
【０２４９】
また、上述した実施の形態では特に言及していないが、フェードイン表示、合成画像による演出、１つの画像（１つのピクチャによる画像または１つの合成画像）にもとづく静止表示による演出、フェードアウト表示の一連の演出や、合成画像がフェードイン表示されたりフェードアウト表示される演出を、動画像表示領域で実行するようにしてもよい。この場合、動画像表示領域にて、フェードイン表示、合成画像による演出表示、１つの画像にもとづく静止表示による演出表示、フェードアウト表示が行われるようになる。
【０２５０】
具体的には、例えば、図３８に示す合成画像などを用いた動画像表示領域での演出表示が実行される。図３８（Ａ）に示す合成画像は、例えば図３７（Ａ）〜図３７（Ｂ）に示すような合成対象画像に半透明化処理を施した図３７（ａ）〜図３７（ｃ）に示す各合成実行画像を前後方向に合成することで生成される。以下、フェードイン表示、合成画像による演出、フェードアウト表示の一連の動画像演出を動画像表示領域で実行する場合の動画像表示領域の表示状態の例について説明する。
【０２５１】
図３９は、フェードイン表示、合成画像による演出、１つの画像にもとづく静止表示による演出表示、フェードアウト表示の一連の動画像演出を動画像表示領域にて実行しているときの動画像表示領域の表示状態の例を示す説明図である。ここでは、特別図柄表示領域にてリーチ表示がなされたあとのリーチ演出において、合成画像による動画像によって演出表示が実行される場合を例に説明する。
【０２５２】
この例では、特別図柄の可変表示演出において、左右図柄が例えば「７」で揃ってリーチとなり、その後に変動表示されている中図柄が低速変動となって、中図柄の停止位置に「５」が近づいてきたときに動画像によるリーチ演出が開始されるものとする。また、この例では、動画像によるリーチ演出が終了したあと、大当り表示がなされるものとする。
【０２５３】
先ず、動画像によるリーチ演出を開始するときに、ＧＣＬ８１によって、リーチ演出に用いることに決定されている動画像データ中の領域指定データにもとづいて、動画像表示領域が設定される（ステップＳ２８２参照）。例えば、領域指定データにもとづいて、上述した図３０に示されているように、中図柄の可変表示領域に動画像表示領域が設定される。
【０２５４】
この例では、特別図柄表示領域にて、左右図柄が「７」で仮停止されてリーチ表示がなされ、最終停止図柄である中図柄が低速変動され、特別図柄表示領域中の動画像表示領域に中図柄「５」が表示されているときに（図３９（Ａ））、動画像データに基づく動画像演出が開始される。動画像演出が開始されると、ＧＣＬ８１によって、特別図柄表示領域中の動画像表示領域に表示されていた特別図柄の画像（図３９（Ａ））から、一旦所定の中間画像（例えば単色の背景画像）が表示されたあと、フェードイン表示によって動画像演出における最初の画像に切り替えられる。本例では、動画像演出における最初の画像として、例えば図３９（Ｂ）に示すような「５」を模したキャラクタ画像が用いられる。すなわち、動画像表示領域にて、図３９（Ａ）に示すようなリーチ表示中に低速変動されてきた中図柄の「５」を示す画像が、中間画像を挟んで図３９（Ｂ）に示すような「５」を模したキャラクタを示す画像に切り替えられる。この図３９（Ｂ）に示す画像は、フェードイン処理によって徐々に出現してくるように表示される。
【０２５５】
この例では、図３９（Ｂ）に示す「５」を模したキャラクタを示す画像が合成画像における前後方向の前面側に合成される合成実行画像として用いられ、図３９（Ｃ）に示すように、「５」を模したキャラクタの背面側に、「６」を模したキャラクタと「７」を模したキャラクタを出現させた合成画像が表示される。図３９（Ｃ）に示す合成画像では、「６」を模したキャラクタを示す画像が合成画像における前後方向の中間に合成される合成実行画像として用いられ、「７」を模したキャラクタを示す画像が合成画像における前後方向の背面側に合成される合成実行画像として用いられている。
【０２５６】
「６」を模したキャラクタと「７」を模したキャラクタが出現すると、画面に表示されている各キャラクタが動き出して各種の動作を行うような動画像がＬＣＤ６に表示され、ＬＣＤ６にて動画像演出が実行される。この例では、「５」を模したキャラクタが前面側に移動して行き、やがては動画像表示領域から消失していくような動画像が表示され、図３９（Ｄ）に示すように、「６」を模したキャラクタおよび「７」を模したキャラクタがともに前面側に移動してきたような合成画像が表示される。図３９（Ｄ）に示す合成画像では、「６」を模したキャラクタを示す画像が合成画像における前後方向の前面側に合成される合成実行画像として用いられ、「７」を模したキャラクタを示す画像が合成画像における前後方向の中間に合成される合成実行画像として用いられている。なお、前後方向の背面側に合成される合成実行画像は、例えば単一色の背景画像であるようにすればよい。
【０２５７】
この例では、図３９（Ｄ）に示す合成画像にもとづく静止表示が実行される。すなわち、図３９（Ｄ）に示す合成画像を繰り返し表示することで、図３９（Ｄ）に示す合成画像が所定期間静止しているかのような表示がなされる。
【０２５８】
図３９（Ｄ）に示す合成画像の静止表示が終了すると、この例では、「６」を模したキャラクタが前面側に移動して行き、やがては動画像表示領域から消失していくような動画像が表示され、図３９（Ｅ）に示すように、「７」を模したキャラクタが前面側に移動してきたような合成画像が表示される。図３９（Ｅ）に示す合成画像では、「７」を模したキャラクタを示す画像が合成画像における前後方向の前面側に合成される合成実行画像として用いられている。なお、前後方向の中間及び背面側に合成される合成実行画像は、例えばそれぞれ単一色の背景画像であるようにすればよい。この例では、図３９（Ｅ）に示す画像が動画像演出における最後の表示画像とされる。
【０２５９】
上記のように、「６」を模したキャラクタが動画像表示領域から完全に消失し、「７」を模したキャラクタが動画像表示領域の中心位置（例えば特別図柄表示領域における図柄停止位置）に移動していくような映像が動画再生され、動画像演出において、最終的に、図３９（Ｅ）に示すような、「７」を模したキャラクタが動画像表示領域の中心位置で正面を向いたような画像が表示される。
【０２６０】
動画像によるリーチ演出が終了すると、ＧＣＬ８１によって、特別図柄表示領域中の動画像表示領域に表示されている動画像演出における最後の画像（例えば図３９（Ｅ）に示す画像）を用いてフェードアウト表示がなされ、中間画像を介して所定の特別図柄を示す画像に切り替えられる。本例では、動画像演出における最後の画像から切り替えられる特別図柄を示す画像として、例えば図３９（Ｆ）に示すような「７」の中図柄を示す画像が用いられる。すなわち、動画像表示領域にて、図３９（Ｅ）に示すような「７」を模したキャラクタの画像がフェードアウト処理によって徐々に消失していく表示がなされたあと、所定の中間画像を表示され、その後に図３９（Ｆ）に示すような仮停止状態の中図柄としての「７」を示す画像に切り替えられる。そして、この例では、左中右図柄が「７」で確定表示され、大当り表示とされる。その後、大当り遊技に移行する。
【０２６１】
上記のように、フェードイン表示、合成画像による演出、１つの画像にもとづく静止表示による演出、フェードアウト表示の一連の演出や、合成画像がフェードイン表示されたりフェードアウト表示されたり静止表示されたりする演出を、動画像表示領域で行う構成とすれば、動画像データのデータ量を多大なものとすることなく、多彩な演出を行うことができるとともに、遊技者が引き付けられるような位置に表示することができ、目立つ演出を行うことができるようになる。
【０２６２】
また、上述した実地の形態では、フェードイン表示、合成画像による演出、１つの画像にもとづく静止表示による演出、フェードアウト表示の一連の演出や、合成画像がフェードイン表示されたりフェードアウト表示されたり静止表示されたりする演出の際に、表示態様選択画面（例えば図３２参照）を用いて遊技者に表示態様を選択させることができるので、遊技者に意思によって選択された表示態様でフェードイン表示などの各種の演出を行うことができる。また、この場合の演出を、動画像表示領域で行うようにしてもよい。
【０２６３】
また、上述した実施の形態では、例えば図柄変動中処理等に動画像による演出が実行され、フェードイン処理やフェードアウト処理が実行されるものとして説明していたが、例えば、リーチや大当りとなることを予告報知するための予告演出、大当り遊技状態における大当りラウンド中や大当りラウンド間に実行される大当り演出等の様々な演出において、上述したフェードイン処理やフェードアウト処理によるフェードイン表示やフェードアウト表示を用いた演出を行うようにしてもよい。
【０２６４】
例えば、スーパーリーチと呼ばれる大当り信頼度の高いリーチへの発展時にフェードイン表示を実行し、フェードイン表示の後に動画像による演出を実行し、その動画像による演出の終了時にフェードアウト表示を行うようにしてもよい。また、例えば、デモンストレーション画像を表示するときにフェードイン表示を実行し、フェードイン表示の後に動画像によるデモンストレーション演出を実行し、その動画像による演出の終了時にフェードアウト表示を行うようにしてもよい。
【０２６５】
また、上述した実施の形態では特に言及していないが、動画像データは、動画撮影装置によって撮影された実写画像を動画再生するためのデータであっても、アニメーションによる動画を再生するためのデータであってもよく、パーソナルコンピュータなどの情報処理装置によって描画されたコンピュータグラフィクス（ＣＧ）を用いたＣＧ画像を動画再生するためのデータであってもよい。実写画像による動画像データを用いる構成とした場合には、人物や動物などの動きをリアルに表現することができるようになる。また、ＣＧ画像による動画像データを用いる構成とした場合には、コンピュータグラフィクスによって自由に画像を作成することができるので、実写によっては得ることが困難な画像であっても簡単に作成することができ、必要とする動画像を含めた動画像データを容易に作成することができるようになる。なお、実写画像とＣＧ画像とを組み合わせて動画像データを作成するようにしてもよい。
【０２６６】
また、上述した実施の形態では、動画像による遊技演出が特別図柄の可変表示が実行される可変表示装置９で行われるものとして説明していたが、特別図柄の可変表示が実行される表示装置とは別個の画像表示装置にて動画像による遊技演出が実行される構成としてもよい。
【０２６７】
また、上述した実施の形態では、遊技機の例として、識別情報を可変表示する可変表示装置としての機能と演出画像を表示する画像表示装置としての機能とを併せ持つ可変表示装置６を備えたパチンコ遊技機を用いて説明したが、パチンコ遊技機に限られず、可変表示装置と画像表示装置とを別個に備えたスロット機等の他の遊技機においても、本発明を適用することができる。以下、本発明を、他の遊技機の一例であるスロット機に適用した場合の例について説明する。
【０２６８】
図４０はスロット機（スロットマシン）５００を正面から見た正面図である。図４０に示すように、スロット機５００は、中央付近に遊技パネル５０１が着脱可能に取り付けられている。また、遊技パネル５０１の前面の中央付近には、複数種類の図柄が可変表示される可変表示装置５０２が設けられている。この実施の形態では、可変表示装置５０２には、「左」、「中」、「右」の３つの図柄表示エリアがあり、各図柄表示エリアに対応してそれぞれ図柄表示リール５０２ａ，５０２ｂ，５０２ｃが設けられている。
【０２６９】
遊技パネル５０１の下部には、遊技者が各種の操作を行うための各種入力スイッチ等が配される操作テーブル５２０が設けられている。操作テーブル５２０の奥側には、コインを１枚ずつＢＥＴする（かける）ためのＢＥＴスイッチ５２１、１ゲームでかけることのできる最高枚数（本例では３枚）ずつコインをＢＥＴするためのＭＡＸＢＥＴスイッチ５２２、精算スイッチ５２３、及びコイン投入口５２４が設けられている。コイン投入口５２４に投入されたコインは、図示しない投入コインセンサによって検知される。
【０２７０】
操作テーブル５２０の手前側には、スタートスイッチ５２５、左リールストップスイッチ５２６ａ、中リールストップスイッチ５２６ｂ、右リールストップスイッチ５２６ｃ及びコイン詰まり解消スイッチ５２７が設けられている。操作テーブル５２０の手前左右には、それぞれランプ５２８ａ，５２８ｂが設けられている。操作テーブル５２０の下部には、効果音等を出力するスピーカ５３０が設けられている。
【０２７１】
遊技パネル５０１の上部には、遊技者に遊技方法や遊技状態等を報知する画像表示装置（ＬＣＤ：液晶表示装置）５４０が設けられている。例えば、入賞発生時に、キャラクタが所定動作を行う画像を画像表示装置５４０に表示することで、後述する当選フラグが設定されていることを遊技者に報知する。本例では、この画像表示装置５４０に動画像データにもとづく動画像が再生表示される。すなわち、スロット機５００にて、上述したパチンコ遊技機と同様に復号化処理や動画再生処理が実行されるとともにフェードイン処理やフェードアウト処理による遊技演出が実行されて、画像表示装置５４０の表示領域にフェードイン表示やフェードアウト表示を含む動画像による各種の表示がなされる。また、上述したパチンコ遊技機１と同様に、この画像表示装置５４０に、１又は２以上の動画像データに基づく複数の画像を合成することによって生成された合成画像による動画像が再生表示される。例えば、複数の関連性のある画像が合成された合成画像による動画像や、複数の独立性のある画像が合成された合成画像による動画像を用いた遊技演出がなされる。また、スロット機５００にて、上述したパチンコ遊技機と同様に復号化処理や動画再生処理が実行されることで、静止表示対象ピクチャを用いた静止表示処理に遊技演出が実行されて、画像表示装置５４０の表示領域に静止表示対象ピクチャを用いた静止表示など、動画像データによる各種の表示がなされる。さらに、スロット機５００にて、上述したパチンコ遊技機と同様に動画像表示領域設定処理、復号化処理及び動画再生処理が実行されるとともに、設定された動画像表示領域にて動画像による遊技演出が実行されて、画像表示装置５４０に設定された動画像表示領域に飾り図柄の可変表示におけるリーチ演出に類する演出などの動画像による各種の演出が行われる。また、画像表示装置５４０の左右には、効果音を発する２つのスピーカ５４１Ｌ，５４１Ｒが設けられている。
【０２７２】
また、この例では、図示はしていないが、画像表示装置５４０の上下に、上述したパチンコ遊技機１と同様に、発光部と受光部とを含む人体センサが設置されている。また、選択操作手段（タッチ部）を確保するために、画像表示装置５４０の手前側にガラスが配されているものとする。
【０２７３】
なお、スロット機５００で発生する入賞役には、小役入賞と、リプレイ入賞と、ビッグボーナス入賞と、レギュラーボーナス入賞とがある。スロット機５００では、スタートスイッチ５２５を操作したタイミングで乱数が抽出され、上記いずれかの入賞役による入賞の発生を許容するか否かを決定する。入賞の発生が許容されていることを、「内部当選している」という。内部当選した場合、その旨を示す当選フラグがスロット機５００の内部で設定される。当選フラグが設定された状態でのゲームでは、その当選フラグに対応する入賞役を引き込むことが可能なようにリール５０２ａ〜５０２ｃが制御される。一方、当選フラグが設定されていない状態でのゲームでは、入賞が発生しないようにリール５０２ａ〜５０２ｃが制御される。
【０２７４】
次に、スロット機により提供されるゲームの概要について説明する。
例えば、コイン投入口５２４からコインが投入されＢＥＴスイッチ５２１又はＭＡＸＢＥＴスイッチ５２２が押下される等してかけ数が設定されると、スタートスイッチ５２５の操作が有効となる。そして、遊技者によってスタートスイッチ５２５が操作されると、可変表示装置５０２に設けられている各図柄表示リール５０２ａ〜５０２ｃが回転を始める。また、スタートスイッチ５２５を操作したタイミングで、レギュラーボーナス入賞又はビッグボーナス入賞が内部当選した場合には、例えば、画像表示装置５４０に所定のキャラクタが所定の動作を行っている画面を表示する等して、内部当選した旨が遊技者等に報知される。
【０２７５】
各図柄表示リール５０２ａ〜５０２ｃが回転を始めてから所定時間が経過すると、各リールストップスイッチ５２６ａ〜５２６ｃの操作が有効となる。この状態で、遊技者が各リールストップスイッチ５２６ａ〜５２６ｃのいずれかを押下すれば、操作されたストップスイッチに対応するリールの回転が停止する。なお、各図柄表示リール５０２ａ〜５０２ｃを停止させずに、所定期間以上放置した場合には、各図柄表示リール５０２ａ〜５０２ｃが自動的に停止する。
【０２７６】
すべての図柄表示リール５０２ａ〜５０２ｃが停止した時点で、可変表示装置５０２に表示されている各図柄表示リール５０２ａ〜５０２ｃの上段、中段、下段の３段の図柄中、かけ数に応じて定められる有効な入賞ライン上に位置する図柄の組合せによって入賞したか否かが定められる。かけ数が１の場合には、可変表示装置５０２における中段の横１列の入賞ラインのみが有効となる。かけ数が２の場合には、可変表示装置５０２における上段、中段、下段の横３列の入賞ラインが有効となる。かけ数が３の場合には、可変表示装置５０２における横３列と斜め対角線上２列の合計５本の入賞ラインが有効ラインとなる。
【０２７７】
有効ライン上の図柄の組合せが、予め定められた特定の表示態様となって入賞が発生した場合には、音、光、画像表示装置５４０の表示等によって所定の遊技演出がなされ、入賞の発生に応じたゲームが開始される。
【０２７８】
図４１は、スロット機５００に備えられる主基板（遊技制御基板）６００の回路構成の一例を示すブロック図である。図４１には、演出制御基板６３０及びリールユニット６５０も示されている。なお、主基板６００には電源基板や中継基板等の他の基板も接続されるが、図４１には示されていない。主基板６００は、プログラムに従って制御動作を行うＣＰＵ６０２、ワークメモリとして使用される記憶手段の一例であるＲＡＭ６０３、ゲーム制御用のプログラム等を記憶するＲＯＭ６０４及びＩ／Ｏポート部６０５を含む構成とされている。
【０２７９】
リールユニット６５０には、リールモータ６５１と、リールランプ６５２と、リールセンサ６５３とが格納されている。リールモータ６５１は、各リール５０２ａ〜５０２ｃを回転させるためのモータである。リールランプ６５２は、各リール５０２ａ〜５０２ｃの内部に設けられ、各リール５０２ａ〜５０２ｃに描かれた図柄のうち、可変表示装置５０２にて視認される図柄をリールの内側から照らすためのランプである。リールセンサ６５３は、各リール５０２ａ〜５０２ｃの回転状態や回転数等を感知するためのセンサである。
【０２８０】
この実施の形態では、演出制御基板６３０に搭載されている演出制御手段が、スロット機５００に設けられている画像表示装置５４０の表示制御や、リールランプ６５２の点灯制御を行う。画像表示装置５４０には、演出制御手段の制御によって、飾り図柄の変動表示や、遊技状態や遊技方法を報知するための表示等の様々な情報が表示される。この例では、演出制御基板６３０に搭載されている演出制御手段には、演出制御用のＣＰＵやＧＣＬ等が含まれる。したがって、演出制御基板６３０に搭載されている演出制御手段は、上述したパチンコ遊技機と同様に、動画像データにもとづく動画像による遊技演出を実行することができる構成とされている。なお、演出制御基板６３０に搭載されている演出制御手段は、スロット機５００に設けられている各種の遊技効果ランプ５５０，５５１，５５２，５５３の点灯制御、及びスロット機５００に設けられているスピーカ５０１，５４１Ｌ，５４１Ｒの音出力制御を行う。
【０２８１】
この例では、演出制御基板６３０は、主基板６００から受信した制御コマンドに基づく演出パターンに従って、画像表示装置５４０や、遊技効果ランプ５５０等や、スピーカ５３０等を制御する。画像表示装置５４０では、所定の画像表示パターン（演出パターンの一例）に従って、飾り図柄の変動表示がなされる。飾り図柄の変動表示演出では、例えば、パチンコ機における特別図柄の変動表示のような図柄組合せ演出表示や、リール５０２ａ〜５０２ｃの変動表示のような図柄組合せ演出等の演出が実行される。予め複数設けられている演出パターンから何れの演出パターンを用いるかについては、例えば、スタートスイッチ５２５が操作されたタイミングで、ＣＰＵ６０２によって決定される。
【０２８２】
なお、上述したスロット機５００では、動画像データにもとづく動画像による演出等がなされるが、それらの演出は、例えば、入賞していない通常の遊技期間中、レギュラーボーナス入賞によってレギュラーボーナスゲームが行われている期間中、ビッグボーナス入賞によるビッグボーナスゲームが行われている期間中等に実行されるようにすればよい。
【０２８３】
この例では、例えば、フェードイン処理やフェードアウト処理等によって、画像表示装置５４０に表示される動画像演出の最初や最後において、動画像データに含まれている画像データを用いたフェードイン表示やフェードアウト表示が実行される。また、合成画像を生成する処理等によって、画像表示装置５４０に表示される合成画像による動画像演出が実行される。また、例えば、動画像データに含まれている静止対象ピクチャを用いた動画再生処理等によって、画像表示装置５４０に静止状態の画像を表示する処理が実行される。さらに、この例では、例えば、画像表示装置５４０に設定された動画像表示領域に動画像データに基づく動画像を表示する処理が実行される。
【０２８４】
以上説明したように、本発明をスロット機に適用することができ、スロット機に適用した場合であっても上述した各実施の形態における効果を得ることができる。
【０２８５】
上述した各遊技機は、可変表示装置における変動表示の表示結果が予め定められた特定の表示態様となったときに所定の遊技価値を遊技者に与える構成とされている。遊技価値とは、例えば、遊技機の遊技領域に設けられた可変入賞球装置が入賞しやすい遊技者にとって有利な状態になることや、遊技者にとって有利な状態となるための権利を発生させたりすることや、景品遊技媒体払出の条件が成立しやすくなる状態になることである。
【０２８６】
また、上述した実施の形態において説明したように、図１に示す操作対応切替表示手段８０ｅｂは、例えば、遊技者に対して複数種類の表示態様に応じた複数の選択肢を提示する選択肢提示手段（例えばＧＣＬ８１における図３２に示す画像を表示させる部分。ステップＳ７０８参照。）と、選択操作手段８０ａによる選択操作の入力がいずれの選択肢に対応する入力であったのかに基づいて画像表示装置６ａの表示態様を決定する表示態様決定手段（例えばＧＣＬ８１における遊技者からの指示に従って表示態様を決定する部分。ステップＳ７０８参照。）とを含む構成とされる。上記のように、複数の選択肢を提示する構成としているので、遊技者にとっては、表示態様の指示内容や指示方法を容易に把握することができるというメリットがある。すなわち、遊技者は、提示された選択肢を目視することで、操作方法や操作結果を容易かつ迅速に把握することができるようになる。このように、表示態様を選択するための操作をわかりやすく簡単なものとすることができる。
【０２８７】
なお、上述した実施の形態において、「リーチ表示状態」とは、可変表示装置において最終停止図柄（例えば左右中図柄のうち中図柄）となる図柄以外の図柄が、所定時間継続して、特定表示態様と一致している状態で停止、揺動、拡大縮小もしくは変形している表示状態、又は、複数の図柄が同一図柄で同期して変動したり、表示図柄の位置が入れ替わっていたりして、最終結果が表示される前で大当り発生の可能性が継続している表示状態をいう。また、リーチ表示状態において行われる演出をリーチ演出という。さらに、リーチ表示状態やその様子をリーチ表示態様という。
【０２８８】
また、「特定遊技状態」とは、所定の遊技価値が付与された遊技者にとって有利な状態を意味する。具体的には、「特定遊技状態」は、例えば、可変入賞球装置の状態が入賞しやすい遊技者にとって有利な状態（大当り遊技状態）、遊技者にとって有利な状態となるための権利が発生した状態、景品遊技媒体払出の条件が成立しやすくなる状態等の、所定の遊技価値が付与された状態である。
【０２８９】
さらに、「特別遊技状態」とは、大当りとなりやすい遊技者にとって有利な状態を意味する。具体的には、「特別遊技状態」は、例えば、特別図柄が大当り図柄でそろう確率が高確率状態とされる確変状態、単位時間あたりの普通図柄の変動回数が高められる時短状態、可変入賞球装置９の開成期間や開成回数が高められる開放延長状態等の大当りとなる確率が高められている高確率状態である。なお、時短状態は、可変入賞球装置９の開放回数が高められていることから単位時間あたりの入賞回数が増加し、単位時間あたりの特別図柄の可変表示回数が高められるので、大当りとなる確率が高められている状態といえる。また、同様に、開放延長状態は、可変入賞球装置９の開成期間や開成回数が高められていることから単位時間あたりの入賞回数が増加し、単位時間あたりの特別図柄の可変表示回数が高められるので、大当りとなる確率が高められている状態といえる。
【０２９０】
【発明の効果】
以上のように、請求項１記載の発明では、フェードイン切替表示手段が、再生開始時に使用されるフレームデータから透過度を段階的に高めていった複数のフェードイン画像を生成するフェードイン画像生成手段と、フェードイン画像生成手段により生成された各フェードイン画像を、透過度が最も高められているフェードイン画像から、透過度がより低いフェードイン画像に順次移行させ、最終的にフレームデータの画像を表示させることによってフェードイン処理を実行するフェードイン処理手段と、フェードイン処理手段によるフェードイン処理が完了したあと、データ再生手段によりフェードイン処理の完了時に表示されているフレームデータの画像から動画再生を開始させる動画再生開始手段とを含むことを特徴とするので、遊技者の操作を表示内容に反映させ遊技興趣の向上を図り、表示態様の切替によって動画像データに基づく多様な遊技演出を実行することができるとともに、動画像データのデータ量を増大させることなく、フェードイン表示を行うことができる。よって、動画像データの格納領域の必要容量を抑えることができる。また、動画像データのデータ量が増大してしまうようなことがないため、フェードイン表示の実行期間を短くする必要がなくなり、演出期間が十分に確保されているフェードイン表示を行うことができる。よって、フェードイン表示を円滑に行うことができる。
【０２９１】
請求項２記載の発明では、フェードイン切替表示手段が、フェードイン処理にて、所定の中間画像を介して段階的に画像を出現させるように構成されているので、容易に視認される状態でフェードイン表示を実行することができる。
【０２９２】
また、請求項３記載の発明では、フェードアウト切替表示手段が、遊技演出を実行するための動画像データを用いた動画再生を終了するときに、再生終了時に使用されるフレームデータの画像を表示する動画再生終了手段と、フレームデータから透過度を段階的に高めていった複数のフェードアウト画像を生成するフェードアウト画像生成手段と、フェードアウト画像生成手段により生成された各フェードアウト画像を、フレームデータの画像から、透過度がより高められているフェードアウト画像に順次移行させ、最終的に透過度が最も高められているフェードアウト画像を表示させることによってフェードアウト処理を実行するフェードアウト処理手段とを含むことを特徴とするので、遊技者の操作を表示内容に反映させ遊技興趣の向上を図り、表示態様の切替によって動画像データに基づく多様な遊技演出を実行することができるとともに、動画像データのデータ量を増大させることなく、フェードアウト表示を行うことができる。よって、動画像データの格納領域の必要容量を抑えることができる。また、動画像データのデータ量が増大してしまうようなことがないため、フェードアウト表示の実行期間を短くする必要がなくなり、演出期間が十分に確保されているフェードアウト表示を行うことができる。よって、フェードアウト表示を円滑に行うことができる。
【０２９３】
請求項４記載の発明では、フェードアウト切替表示手段が、フェードアウト処理にて、段階的に画像を消滅させて所定の中間画像を表示させるように構成されているので、容易に視認される状態でフェードアウト表示を実行することができる。
【０２９４】
また、請求項５記載の発明では、データ再生手段が、所定の静止対象画像表示タイミングとなったことに応じて動画像データに基づく動作対象画像の動画再生処理を中断する動画再生処理中断手段と、静止対象画像表示タイミングにて動画再生処理が中断されたときに、動画像データに含まれる静止対象画像データに基づいて、画像表示装置上の動作対象画像を所定の静止対象画像に切り替え表示する静止対象画像切替手段と、動画再生処理が中断される中断期間の間、動画像データに基づく動作対象画像の一部とされている所定の静止対象画像を使用することで、画像表示装置上に静止対象画像を用いた静止画再生処理を行う静止画再生処理手段と、中断期間が終了したときに、画像表示装置上の静止対象画像を動作対象画像に切り替え表示する動作対象画像切替手段と、動作対象画像切替手段によって表示された動作対象画像から動画再生処理を再開する動画再生処理再開手段とを含むことを特徴とするので、遊技者の操作を表示内容に反映させ遊技興趣の向上を図り、表示態様の切替によって動画像データに基づく多様な遊技演出を実行することができるとともに、動画像演出中に表示画面の変化がない場面が存在する場合に、そのような場面を表示させるための動画像データを用意しておく必要をなくすことができ、静止表示を行うための動画像データを削減することができる。従って、動画像データ全体のデータ量を低減させることができ、動画像データの格納領域の必要容量を抑えることができる。
【０２９５】
また、請求項６記載の発明では、データ再生手段が、データ伸張手段によって連続的に伸張された複数のフレームデータを、優先度指定手段によって指定された優先度に応じて前後方向に重ね合わせる合成処理を実行することによって、前後方向の優先度が異なる複数のフレームデータを用いた合成表示を行う合成表示手段を含むことを特徴とするので、遊技者の操作を表示内容に反映させ遊技興趣の向上を図り、表示態様の切替によって動画像データに基づく多様な遊技演出を実行することができるとともに、前後方向の後側に表示される優先度の低い画像の透過度と、手前側に表示される優先度の高い画像の透過度とを異ならせることで奥行感の高められた映像を表示することができ、立体感がより高められた臨場感のある演出表示を行うことができる。
【０２９６】
また、請求項７記載の発明では、データ再生手段が、所定の切替条件が成立したときに、キャラクタ表示領域に表示されている画像を、動画再生を開始させる開始画像に切替表示するキャラクタ画像切替手段と、キャラクタ画像切替手段によって切替表示された開始画像から動画再生を開始し、キャラクタ画像を用いた動画演出を実行するキャラクタ演出手段と、キャラクタ演出手段による動画演出が終了したときに、キャラクタ表示領域に表示されている画像を、識別情報画像に切替表示する識別情報画像切替手段とを含むことを特徴とするので、遊技者の操作を表示内容に反映させ遊技興趣の向上を図り、表示態様の切替によって動画像データに基づく多様な遊技演出を実行することができるとともに、動画像による演出を目立つように表示することができ、識別情報画像の表示に関連した動画像による演出に遊技者の注意が引き付けられるようにすることができる。よって、動画像による演出を有効なものとすることができ、動画像による演出を用いて様々な報知を行うことができる。
【０２９７】
請求項８記載の発明では、可変表示領域の表示態様がリーチ表示態様となったことにもとづいて所定の切替条件が成立し、キャラクタ演出手段が、可変表示領域の表示態様がリーチ表示態様となっている期間中に、キャラクタ表示領域にてキャラクタ画像を用いた動画演出を実行することを特徴とするので、動画像によるリーチ演出を目立つように表示することができ、リーチ演出に遊技者の注意が引き付けられるようにすることができる。
【０２９８】
また、請求項９記載の発明では、データ再生手段が、所定の切替条件が成立したときに、キャラクタ表示領域に表示されている画像を、動画再生を開始させる開始画像に切替表示するキャラクタ画像切替手段と、キャラクタ画像切替手段によって切替表示された開始画像から動画再生を開始し、キャラクタ画像を用いた動画演出を実行するキャラクタ演出手段と、キャラクタ演出手段による動画演出が終了したときに、キャラクタ表示領域に表示されている画像を、飾り識別情報画像に切替表示する飾り識別情報画像切替手段とを含むことを特徴とするので、遊技者の操作を表示内容に反映させ遊技興趣の向上を図り、表示態様の切替によって動画像データに基づく多様な遊技演出を実行することができるとともに、動画像による演出を目立つように表示することができ、飾り識別情報画像の表示に関連した動画像による演出に遊技者の注意が引き付けられるようにすることができる。よって、動画像による演出を有効なものとすることができ、動画像による演出を用いて様々な報知を行うことができる。
【図面の簡単な説明】
【図１】本発明の概要を示す概念図である。
【図２】パチンコ遊技機を正面から見た正面図である。
【図３】遊技機を裏面から見た背面図である。
【図４】遊技制御部を中心としたシステム構成例を示すブロック図である。
【図５】演出制御基板の回路構成例を示すブロック図である。
【図６】人体センサの作用を説明するための説明図である。
【図７】主基板におけるＣＰＵが実行するメイン処理を示すフローチャートである。
【図８】２ｍｓタイマ割込み処理を示すフローチャートである。
【図９】特別図柄プロセス処理を示すフローチャートである
【図１０】演出制御用ＣＰＵが実行するメイン処理を示すフローチャートである。
【図１１】演出制御プロセス処理を示すフローチャートである。
【図１２】プロセスデータの一構成例を示す説明図である。
【図１３】動画像データのデータ構造の例を示す説明図である。
【図１４】動画像表示領域設定処理の例を示すフローチャートである。
【図１５】動画像表示領域解除処理の例を示すフローチャートである。
【図１６】復号化処理の例を示すフローチャートである。
【図１７】連続復号化処理の例を示すフローチャートである。
【図１８】動画再生処理の例を示すフローチャートである。
【図１９】フェードイン処理の例を示すフローチャートである。
【図２０】フェードイン処理に用いられる数式の例を示す説明図である。
【図２１】フェードイン処理により作成されるフェードイン画像の表示状態を示す説明図である。
【図２２】フェードアウト処理の例を示すフローチャートである。
【図２３】フェードアウト処理に用いられる数式の例を示す説明図である。
【図２４】フェードアウト処理により作成されるフェードイン画像の表示状態を示す説明図である。
【図２５】半透明化処理の例を示すフローチャートである。
【図２６】半透明化処理に用いられる数式の例を示す説明図である。
【図２７】合成対象画像と合成実行画像の例を示す説明図である。
【図２８】合成画像の表示状態を示す説明図である。
【図２９】静止表示対象画像の表示状態等を示す説明図である。
【図３０】動画像表示領域の設定位置の例を示す説明図である。
【図３１】動画像表示領域の表示状態の例を示す説明図である。
【図３２】表示態様切替画面の例を示す説明図である。
【図３３】表示態様が切り替えられた状態の例を示す説明図である。
【図３４】合成画像の生成に用いられる各合成対象画像データを含む複数の動画像データを示す説明図である。
【図３５】連携画像データにより生成された合成画像の表示状態を示す説明図である。
【図３６】独立画像データにより生成された合成画像の表示状態を示す説明図である。
【図３７】合成対象画像と合成実行画像の他の例を示す説明図である。
【図３８】合成画像の表示状態の他の例を示す説明図である。
【図３９】動画像表示領域の表示状態の他の例を示す説明図である。
【図４０】スロット機を正面から見た正面図である。
【図４１】スロット機に搭載されている主基板の回路構成の一例を示すブロック図である。
【符号の説明】
１　　　　　　　　　パチンコ遊技機
６　　　　　　　　　可変表示装置（画像表示装置）
３０　　　　　　　　主基板
３３　　　　　　　　ＣＰＵ
６０　　　　　　　　ランプ制御部
６５ａ，６５ｂ　　　発光部
６６ａ，６６ｂ　　　受光部
７０　　　　　　　　音制御部
８０　　　　　　　　表示制御部
８１　　　　　　　　ＧＣＬ
１００　　　　　　　演出制御基板
１０１　　　　　　　演出制御用ＣＰＵ
１６１ａ，１６１ｂ　選択操作手段
５００　　　　　　　スロット機
５４０　　　　　　　画像表示装置
６００　　　　　　　主基板
６３０　　　　　　　演出制御基板
【図１】
2004089487.tif 000003
【図２】
2004089487.tif 000004
【図３】
2004089487.tif 000005
【図４】
2004089487.tif 000006
【図５】
2004089487.tif 000007
【図６】
2004089487.tif 000008
【図７】
2004089487.tif 000009
【図８】
2004089487.tif 000010
【図９】
2004089487.tif 000011
【図１０】
2004089487.tif 000012
【図１１】
2004089487.tif 000013
【図１２】
2004089487.tif 000014
【図１３】
2004089487.tif 000015
【図１４】
2004089487.tif 000016
【図１５】
2004089487.tif 000017
【図１６】
2004089487.tif 000018
【図１７】
2004089487.tif 000019
【図１８】
2004089487.tif 000020
【図１９】
2004089487.tif 000021
【図２０】
2004089487.tif 000022
【図２１】
2004089487.tif 000023
【図２２】
2004089487.tif 000024
【図２３】
2004089487.tif 000025
【図２４】
2004089487.tif 000026
【図２５】
2004089487.tif 000027
【図２６】
2004089487.tif 000028
【図２７】
2004089487.tif 000029
【図２８】
2004089487.tif 000030
【図２９】
2004089487.tif 000031
【図３０】
2004089487.tif 000032
【図３１】
2004089487.tif 000033
【図３２】
2004089487.tif 000034
【図３３】
2004089487.tif 000035
【図３４】
2004089487.tif 000036
【図３５】
2004089487.tif 000037
【図３６】
2004089487.tif 000038
【図３７】
2004089487.tif 000039
【図３８】
2004089487.tif 000040
【図３９】
2004089487.tif 000041
【図４０】
2004089487.tif 000042
【図４１】
2004089487.tif 000043